(57)【要約】【課題】空気調和機本体と遠隔操作装置との間で双方向通信を行い、運転モードや風量、室温、湿度の制御や表示を行うことができる空気調和システムを提供する。【解決手段】前記空気調和機用遠隔操作装置は、前記空気調和機本体の運転状態を表示する表示部を備え、  前記表示部は、前記空気調和機本体を運転させるために設定した情報である、設定室温と設定湿度を表示する設定情報表示部と、前記空気調和機本体が検出する室内環境情報である、室温と湿度を入手して表示する入手情報表示部とを備え、  前記設定情報表示部には、前記空気調和機本体を運転させるために設定した設定室温と設定湿度とがそれぞれ独立して表示され、  前記入手情報表示部には、前記空気調和機本体が検出した室温と湿度とがそれぞれ独立して表示されることを特徴とする。【選択図】  図１
2010048548.tif 000002
【特許請求の範囲】
【請求項１】
双方向通信により室内の空気調和を行う空気調和機本体の運転指示を行う空気調和機用遠隔操作装置において、
前記空気調和機用遠隔操作装置は、湿度を制御する湿度制御手段を備えていることを特徴とする空気調和機用遠隔操作装置。
【請求項２】
双方向通信により室内の空気調和を行う空気調和機本体の運転指示を行う空気調和機用遠隔操作装置において、
前記空気調和機用遠隔操作装置は、前記空気調和機本体の運転状態を表示する表示部を備え、
前記表示部は、前記空気調和機本体を運転させるために設定した情報である、設定室温と設定湿度を表示する設定情報表示部と、前記空気調和機本体が検出する室内環境情報である、室温と湿度を入手して表示する入手情報表示部とを備え、  前記設定情報表示部には、前記空気調和機本体を運転させるために設定した設定室温と設定湿度とがそれぞれ独立して表示され、
前記入手情報表示部には、前記空気調和機本体が検出した室温と湿度とがそれぞれ独立して表示されることを特徴とする空気調和機用遠隔操作装置。
【請求項３】
双方向通信により室内の空気調和を行う空気調和機本体の運転指示を行う空気調和機用遠隔操作装置において、
前記空気調和機用遠隔操作装置は、前記空気調和機本体の運転状態を表示する表示部を備え、
前記表示部は、前記空気調和機本体を運転させるために設定した設定情報である、設定室温と設定湿度を表示する設定情報表示部と、前記空気調和機本体が検出する室内環境情報である、室温と湿度を入手して表示する入手情報表示部とを備え、
前記設定情報表示部は、前記空気調和機本体を運転させるために設定した設定室温を表示する設定室温表示部と、前記空気調和機本体を運転させるために設定した設定湿度を表示する設定湿度表示部とを備え、
前記入手情報表示部は、前記空気調和機本体により検出された室温を表示する入手室温表示部と、前記空気調和機本体により検出された湿度を表示する入手湿度表示部とを備えていることを特徴とする空気調和機用遠隔操作装置。
【請求項４】
双方向通信により室内の空気調和を行う空気調和機本体の運転指示を行う空気調和機用遠隔操作装置において、
前記遠隔操作装置は、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、前記空気調和機本体から送信された室内環境情報を受信する受信手段と、前記空気調和機本体の運転状態を表示する表示部と、前記空気調和機本体から室内環境情報を送信させる指示を行う指示手段とを備え、
前記表示部は、前記空気調和機本体を運転させるために設定した情報を表示する設定情報表示部と、前記空気調和機本体が検出する室内環境情報を入手して表示する入手情報表示部とを備え、
前記設定情報表示部には、前記空気調和機本体を運転させるために設定した設定室温と設定湿度とがそれぞれ独立して表示され、
前記指示手段を操作することにより前記空気調和機本体が検出した室温と湿度とを前記受信手段で受信し、受信した室温と湿度とが前記入手情報表示部にそれぞれ独立して表示されることを特徴とする空気調和機用遠隔操作装置。
【請求項５】
双方向通信により室内の空気調和を行う空気調和機本体の運転指示を行う空気調和機用遠隔操作装置において、
前記遠隔操作装置は、室温の制御を行う室温制御手段と、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、前記空気調和機本体から送信された室内環境情報を受信する受信手段と、前記空気調和機本体の運転状態を表示する表示部と、前記空気調和機本体から室内環境情報を送信させる指示を行う指示手段とを備え、
前記表示部は、前記空気調和機本体を運転させるために設定した設定情報である、設定室温と設定湿度を表示する設定情報表示部と、前記空気調和機本体が検出する室内環境情報である、室温と湿度を入手して表示する入手情報表示部とを備え、
前記設定情報表示部は、前記空気調和機本体を運転させるために設定した設定室温を表示する設定室温表示部と、前記空気調和機本体を運転させるために設定した設定湿度を表示する設定湿度表示部とを備え、
前記指示手段を操作することにより前記空気調和機本体が検出した室温と湿度とを前記受信手段で受信し、受信した室温と湿度とが前記入手情報表示部にされ、  前記入手情報表示部は、前記空気調和機本体が検出した室温を表示する入手室温表示部と、前記空気調和機本体が検出した湿度を表示する入手湿度表示部とを備えていることを特徴とする空気調和機用遠隔操作装置。
【請求項６】
請求項２から請求項５のいずれか１つに記載の空気調和機用遠隔操作装置において、
前記設定情報表示部は、前記空気調和機本体を運転させるために設定した設定室温と設定湿度とを左右に分けて表示するように構成され、
前記入手情報表示部は、前記空気調和機本体が検出した室温と湿度を左右に分けて表示することを特徴とする空気調和機用遠隔操作装置。
【請求項７】
請求項２から請求項６のいずれか１つに記載の空気調和機用遠隔操作装置において、
前記設定情報表示部および前記入手情報表示部に表示される室温の情報は、前記空気調和機用遠隔操作装置の長手方向を中心としてその左側に表示され、
前記設定情報表示部および前記入手情報表示部に表示される湿度の情報は、前記空気調和機用遠隔操作装置の長手方向を中心としてその右側に表示されることを特徴とする空気調和機用遠隔操作装置。
【請求項８】
請求項２から請求項７のいずれか１つに記載の空気調和機用遠隔操作装置において、
前記設定情報表示部には、前記空気調和機本体の運転モードと、前記空気調和機本体から吹き出される風量とが表示されることを特徴とする空気調和機用遠隔操作装置。
【請求項９】
請求項４または請求項５に記載の空気調和機用遠隔操作装置において、
前記指示手段を操作することにより、前記入手情報表示部に外気温が表示されることを特徴とする空気調和機用遠隔操作装置。
【請求項１０】
室内の空気調和を行う空気調和機本体と、前記空気調和機本体の運転を指示する遠隔操作装置とを備え、前記室内機と前記遠隔操作装置との間で双方向通信を行う空気調和システムにおいて、
前記空気調和機用遠隔操作装置は、室温の制御を行う室温制御手段と、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、前記室内機から送信されたを受信する受信手段と、前記空気調和機本体の運転状態を表示する表示部と、前記空気調和機本体から室内環境情報を送信させる指示を行う指示手段とを備え、
前記表示部は、前記空気調和機本体を運転させるために設定した情報である、設定室温と設定湿度を表示する設定情報表示部と、前記空気調和機本体が検出する室内環境情報である、室温と湿度を入手して表示する入手情報表示部とを備え、  前記設定情報表示部には、前記空気調和機本体を運転させるために設定した設定室温と設定湿度とがそれぞれ独立して表示され、
前記指示手段を操作することにより前記空気調和機本体が検出した室温と湿度とを前記受信手段で受信し、受信した室温と湿度とが前記入手情報表示部にそれぞれ独立して表示され、
前記設定情報表示部に表示される設定湿度と前記入手情報表示部に表示される湿度とは、それぞれ縦方向に並んで表示され、
前記設定情報表示部に表示される設定室温と前記入手情報表示部に表示される室温とは、それぞれ縦方向に並んで表示され、
前記空気調和機本体は、その運転状態を表示する運転状態表示部を備え、
前記運転状態表示部は、前記空気調和機本体の冷暖房運転状態を表示する冷暖房運転表示部と、前記空気調和機本体の除湿運転状態を表示する除湿運転表示部とを備え、
前記冷暖房運転表示部と前記除湿運転表示部は、前記設定情報表示部および前記入手情報表示部に縦方向に並んで表示された室温と湿度に対応して設けられていることを特徴とする空気調和システム。
【請求項１１】
室内の空気調和を行う空気調和機本体と、前記空気調和機本体の運転を指示する遠隔操作装置とを備え、前記室内機と前記遠隔操作装置との間で双方向通信を行う空気調和システムにおいて、
前記空気調和機用遠隔操作装置は、室温の制御を行う室温制御手段と、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、前記室内機から送信されたを受信する受信手段と、前記空気調和機本体の運転状態を表示する表示部と、前記空気調和機本体から室内環境情報を送信させる指示を行う指示手段とを備え、
前記表示部は、前記空気調和機本体を運転させるために設定した設定情報である、設定室温と設定湿度を表示する設定情報表示部と、前記空気調和機本体が検出する室内環境情報である、室温と湿度を入手して表示する入手情報表示部とを備え、
前記設定情報表示部は、前記空気調和機本体を運転させるために設定した設定室温を表示する設定室温表示部と、前記空気調和機本体を運転させるために設定した設定湿度を表示する設定湿度表示部とを備え、
前記指示手段を操作することにより前記空気調和機本体が検出した室温と湿度とを前記受信手段で受信し、受信した室温と湿度とが前記入手情報表示部にされ、  前記入手情報表示部は、前記空気調和機本体が検出した室温を表示する入手室温表示部と、前記空気調和機本体が検出した湿度を表示する入手湿度表示部とを備え、
前記設定湿度表示部に表示される設定湿度と前記入手湿度表示部に表示される湿度とは、それぞれ縦方向に並んで表示され、
前記設定室温表示部に表示される設定室温と前記入手室温表示部に表示される室温とは、それぞれ縦方向に並んで表示され、
前記空気調和機本体は、その運転状態を表示する運転状態表示部を備え、
前記運転状態表示部は、前記空気調和機本体の冷暖房運転状態を表示する冷暖房運転表示部と、前記空気調和機本体の除湿運転状態を表示する除湿運転表示部とを備え、
前記冷暖房運転表示部と前記除湿運転表示部は、前記設定湿度表示部および前記入手湿度表示部に縦方向に並んで表示された湿度と前記設定室温表示部および前記入手室温表示部に縦方向に並んで表示された室温とに対応して設けられていることを特徴とする空気調和システム。
【請求項１２】
請求項１０または請求項１１に記載の空気調和システムにおいて、
前記設定情報表示部および前記入手情報表示部に表示される室温の情報は、前記空気調和機用遠隔操作装置の長手方向を中心としてその左側に表示され、
前記設定情報表示部および前記入手情報表示部に表示される湿度の情報は、前記空気調和機用遠隔操作装置の長手方向を中心としてその右側に表示され、
前記冷暖房運転表示部は、前記空気調和機本体の短手方向を中心にしてその左側に配置され、
前記除湿運転表示部は、前記空気調和機本体の短手方向を中心にしてその右側に配置されることを特徴とする空気調和システム。
【発明の詳細な説明】
【技術分野】
【０００１】
本発明は、空気調和機本体を遠隔操作する空気調和機用遠隔操作装置（以下、リモコンと言う）およびこのリモコンを備えた空気調和システムに関するものであり、特に、室温や湿度などを調節する機能を有すると共に、空気調和機本体から送信される室内の情報を双方向通信により受信することができるリモコンおよびこのリモコンを備えた空気調和システムに関するものである。
【背景技術】
【０００２】
従来、空気調和機本体とリモコンとの間で双方向通信が可能な空気調和システムとしては、特開平１０−３４０１２３号公報（文献１）や特開平６−３１３６１０号公報（文献２）に開示されているものがある。
【０００３】
上記文献１は、リモコンに設けられた所定のボタンを操作することにより、現在運転中の空気調和機本体の動作状態、例えば室温や運転モード、風向きなどの情報が空気調和機本体からリモコンに向けて送信されることで、空気調和機本体の運転状態を表示させることが可能なリモコンが開示されている。
【０００４】
上記文献２に記載のリモコンは、開閉蓋の内側に設けられた所定のボタンを操作することにより、リモコンから特定の診断コードを有する信号が空気調和機本体に向けて送信され、この信号を受信した空気調和機本体がこの信号に対応する運転履歴情報をリモコンに送信することで、空気調和機本体を分解することなく、運転履歴情報を得ることが可能なリモコンが開示されている。
【０００５】
また、空気調和機本体の運転状態を表示する表示部についての従来技術としては、空気調和機本体に設けられた液晶表示部に空気調和機本体の運転状態や室内外の空気状態を表示する空気調和システム（公知例１）や、リモコンに設けられた表示部に室内の温湿度情報をイメージ的に表示するリモコン（公知例２）がある。
【発明の概要】
【発明が解決しようとする課題】
【０００６】
快適な室内環境を作るためには、室温だけでなく湿度も大きく影響する。近年、空気調和機においては、室内環境が快適と感じる感覚は個人差があることから、室温のみならず、湿度も制御して、それぞれの人に合わせた快適な室内環境を作ることができる機能を有する空気調和システムの実現が要望されている。
【０００７】
上記文献１に開示されているリモコンにおいては、空気調和機本体の動作状態の変化、例えば運転モードや風量、室温の変化をリモコンに表示し、これらの制御を行うことができる。しかしながら、室内環境をより快適な状態にするためには、湿度の変化状態を表示し、湿度を制御することが必要であるが、上記文献１に記載されているリモコンにおいては、湿度の表示および制御について開示されていない。このため、使用者に合わせた室内環境を作るための運転を行うことが困難である。さらに、上記文献１には、リモコンの外観形状および操作ボタンの配置に関する具体的な記載はなく、操作ボタンの配置や使い易さについての工夫が要望されていた。
【０００８】
上記文献２に開示されているリモコンにおいては、空気調和機本体の動作状態の変化をリモコンに送信して表示することについての開示がないため、使用者が空気調和機本体の動作状態の変化、例えば運転モードや風量、室温、湿度などの変化状態を確認することが困難である。また、上記文献２に記載されているリモコンにおいても、使用者が制御できるのは室温や運転モードのみであり、より快適な室内環境を作るために必要な湿度の表示や制御については開示されておらず、使用者に合わせた室内環境を作るための運転を行うことが困難である。さらに、上記文献２に記載されているリモコンは、操作ボタンのほとんどが開閉蓋の内側に配置されており、空気調和機本体の運転モードの選択などを行う場合は、開閉蓋を開いてボタンを操作しなければならず、リモコン操作に煩わしさが残っていた。
【０００９】
また、上記公知例１の空気調和システムにおいては、液晶表示部が空気調和機本体に設けられているため、運転状態や室内外の空気状態を確認するときには、空気調和機本体に近づかなければならない煩わしさが残っていた。
【００１０】
さらに、上記公知例２のリモコンにおいては、室内の温湿度情報をイメージ的に表示することはできるが、湿度の制御を行うことができないため、使用者に合わせた快適な室内環境を作ることが困難であった。
【００１１】
本発明の目的は、運転モードや風量、室温などの表示や制御を行うことが出きると共に、湿度の制御や表示を行うことが出きる空気調和機用遠隔操作装置およびこの空気調和機用遠隔操作装置を備えた空気調和システムを提供することにある。
【００１２】
また本発明の他の目的は、操作ボタンを簡単に操作することが出きる空気調和機用遠隔操作装置およびこの空気調和機用遠隔操作装置を備えた空気調和システムを提供することにある。
【課題を解決するための手段】
【００１３】
上記目的を達成するための手段として本発明における、双方向通信により室内の空気調和を行う空気調和機本体の運転指示を行う空気調和機用遠隔操作装置は、湿度を制御する湿度制御手段を備えていることを特徴とする。
【００１４】
上記目的を達成するための他の手段として本発明における、双方向通信により室内の空気調和を行う空気調和機本体の運転指示を行う前記空気調和機用遠隔操作装置は、前記空気調和機本体の運転状態を表示する表示部を備え、前記表示部は、前記空気調和機本体を運転させるために設定した情報である、設定室温と設定湿度を表示する設定情報表示部と、前記空気調和機本体が検出する室内環境情報である、室温と湿度を入手して表示する入手情報表示部とを備え、前記設定情報表示部には、前記空気調和機本体を運転させるために設定した設定室温と設定湿度とがそれぞれ独立して表示され、前記入手情報表示部には、前記空気調和機本体が検出した室温と湿度とがそれぞれ独立して表示されることを特徴とする。
【００１５】
また、上記目的を達成するための他の手段として本発明における、双方向通信により室内の空気調和を行う空気調和機本体の運転指示を行う空気調和機用遠隔操作装置は、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、前記空気調和機本体から送信された室内環境情報を受信する受信手段と、前記空気調和機本体の運転状態を表示する表示部と、前記空気調和機本体から室内環境情報を送信させる指示を行う指示手段とを備え、前記表示部は、前記空気調和機本体を運転させるために設定した情報を表示する設定情報表示部と、前記空気調和機本体が検出する室内環境情報を入手して表示する入手情報表示部とを備え、前記設定情報表示部には、前記空気調和機本体を運転させるために設定した設定室温と設定湿度とがそれぞれ独立して表示され、前記指示手段を操作することにより前記空気調和機本体が検出した室温と湿度とを前記受信手段で受信し、受信した室温と湿度とが前記入手情報表示部にそれぞれ独立して表示されることを特徴とする。
【００１６】
上記目的を達成するための手段として本発明における空気調和システムは、室内の空気調和を行う空気調和機本体と、前記空気調和機本体の運転を指示する遠隔操作装置とを備え、前記室内機と前記遠隔操作装置との間で双方向通信を行う空気調和システムにおいて、前記空気調和機用遠隔操作装置は、室温の制御を行う室温制御手段と、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、前記室内機から送信されたを受信する受信手段と、前記空気調和機本体の運転状態を表示する表示部と、前記空気調和機本体から室内環境情報を送信させる指示を行う指示手段とを備え、前記表示部は、前記空気調和機本体を運転させるために設定した情報である、設定室温と設定湿度を表示する設定情報表示部と、前記空気調和機本体が検出する室内環境情報である、室温と湿度を入手して表示する入手情報表示部とを備え、前記設定情報表示部には、前記空気調和機本体を運転させるために設定した設定室温と設定湿度とがそれぞれ独立して表示され、前記指示手段を操作することにより前記空気調和機本体が検出した室温と湿度とを前記受信手段で受信し、受信した室温と湿度とが前記入手情報表示部にそれぞれ独立して表示され、前記設定情報表示部に表示される設定湿度と前記入手情報表示部に表示される湿度とは、それぞれ縦方向に並んで表示され、前記設定情報表示部に表示される設定室温と前記入手情報表示部に表示される室温とは、それぞれ縦方向に並んで表示され、前記空気調和機本体は、その運転状態を表示する運転状態表示部を備え、前記運転状態表示部は、前記空気調和機本体の冷暖房運転状態を表示する冷暖房運転表示部と、前記空気調和機本体の除湿運転状態を表示する除湿運転表示部とを備え、前記冷暖房運転表示部と前記除湿運転表示部は、前記設定情報表示部および前記入手情報表示部に縦方向に並んで表示された室温と湿度に対応して設けられていることを特徴とする。
【発明の効果】
【００１７】
本発明によれば、使用頻度の高い操作ボタン、特により快適な室内環境を作るために必要な室温・湿度の表示や制御するための操作ボタンを開閉蓋の表面に設けたので、ボタンの操作が容易に行うことが可能であると共に、使用者個人に合った快適な室内環境を容易に作ることが可能な空気調和機を提供することができる。
【００１８】
また本発明によれば、表示部を設定温度や設定湿度、運転モードを表示する下段表示部と、室内ユニットの運転中における室温や湿度、外気温を表示する上段表示部とに分けて設けているので、室内ユニットの運転状態を確認しながら、室温・湿度を制御することができるので、使用者個人に合った快適な室内環境を作ることが可能な空気調和機を提供することができる。
【００１９】
さらに本発明によれば、使用頻度の高い操作ボタンをリモコンの縦長方向を中心として、一方に湿度の制御に関する操作ボタン、他の一方に室温の制御に関する操作ボタンを縦長に配置することで、室内ユニットに設けられた運転状態表示部の配置と対応させることができ、リモコンあるいは室内ユニットに設けられた運転状態表示部により室内ユニットの運転状態を容易に確認することが可能な空気調和機を提供することができる。
【図面の簡単な説明】
【００２０】
【図１】本発明の一実施形態に係る空気調和機の概略構成図である。
【図２】本発明の一実施形態に係る室内ユニットの縦断面図である。
【図３】本発明の一実施形態に係る空気調和機の冷凍サイクル図である。
【図４】本発明の一実施形態に係る室内ユニットの外観を示す図である。
【図５】本発明の一実施形態に係る室内ユニットの前面グリルの構成を示す図である。
【図６】本発明の一実施形態に係るリモコンの外観を示す図である。
【図７】本発明の一実施形態に係るリモコンの外観を示す図である。
【図８】本発明の一実施形態に係るリモコンの筐体を構成する上カバーの構成を示す図である。
【図９】本発明の一実施形態に係るリモコンの筐体を構成する下カバーの構成を示す図である。
【図１０】本発明の一実施形態に係るリモコンの筐体を構成する電池蓋の構成を示す図である。
【図１１】本発明の一実施形態に係るリモコンの表示部の構成を示す図である。
【図１２】本発明の一実施形態に係るリモコンに設けられた使用頻度の低いい操作ボタンの構成を示す図である。
【図１３】本発明の一実施形態に係るリモコンに設けられた使用頻度の高い操作ボタンの構成を示す図である。
【図１４】本発明の一実施形態に係るリモコンの開閉蓋の構成を示す図である。
【図１５】本発明の一実施形態に係る空気調和機の概略構成を示すブロック図である。
【図１６】本発明の一実施形態に係るリモコンの表示部の表示状態を示す図である。
【図１７】本発明の一実施形態に係る室内ユニットの運転状態表示部とリモコンの操作ボタンとの配置関係を示す図である。
【図１８】本発明の一実施形態に係る室内ユニットの運転状態表示部の構成を示す図である。
【図１９】本発明の一実施形態に係る室内ユニットの運転状態表示部の構成を示す図である。
【図２０】本発明の一実施形態に係る室内ユニットの運転状態表示部の構成を示す図である。
【図２１】本発明の一実施形態に係る室内ユニットの運転状態表示部の構成を示す図である。
【図２２】本発明の一実施形態に係る室内ユニットの運転状態表示部の構成を示す図である。
【図２３】本発明の一実施形態に係る室内ユニットの運転状態表示部の構成を示す図である。
【図２４】本発明の一実施形態に係る空気調和機の動作を示すフローチャートである。
【図２５】本発明の一実施形態に係る室内ユニットの送受信部の構成を示す図である。
【図２６】本発明の他の実施の形態を示す室内ユニットの正面図である。
【図２７】本発明の他の実施の形態を示すリモコンの正面図である。
【図２８】本発明の他の実施の形態を示すグラデーショングリルの構成を示す図である。
【発明を実施するための形態】
【００２１】
以下、図１から図２８を参照して本発明の実施の形態を詳細に説明する。
【００２２】
図１から図２５は、本発明に係る空気調和システムの一実施の形態を示している。先ず、図１を参照して本実施の形態に係る空気調和システムの概略構造を説明する。図１は、本実施の形態に係る空気調和システムの外観図である。
【００２３】
図１において、この発明に係る空気調和システムは、室内の壁面等に取り付けられ、室内の環境（空気調和）状態を調節する空気調和機本体（以下、室内ユニットという）１００と、室外に配置される室外ユニット２００とからなる空気調和機と、この空気調和機の運転制御を行う遠隔操作ユニット（以下、リモコンという）３００とから構成される。
【００２４】
前記室内ユニット１００は、前記筐体１５０に内蔵した室内ファン１０９（図２参照）を介して、横長の筐体１５０の前面に設けられた第１の吸込部（以下、前面吸込グリルという）１３１と、上部に設けられた第２の吸込部（以下、上部吸込グリルという）１３２とから室内空気を前記筐体１５０内に取り入れ、内蔵した熱交換器（図２参照）を介して熱交換あるいは除湿を行い、前記筐体１５０の正面下部に設けられた吹出口１３３から前記室内空気を吹き出す構造を備えている。
【００２５】
前記筐体１５０は、後部を構成するバックキャビネット２１０、側面を構成する化粧パネル２２０、前面を構成し前記前面吸込グリル１３１を備えたフロントパネル２３０とでその外周が覆われており、奥行き方向より高さ方向の長さが長い大きさを備えた形状となっている。
【００２６】
前記室内ファン１０９は、前記筐体１５０のほぼ中央で、かつその長手方向を前記筐体１５０の長手方向と一致するように設けられている。
【００２７】
この実施の形態では、前記前面吸込グリル１３１を、前記室内ファン１０９に近い位置である前記筐体１５０の正面中央部分に設け、前記上部吸込グリル１３２を前記室内ファン１０９の上方に位置する筐体１５０の上面に設けている。そして、前記前面吸込グリル１３１と前記上部吸込グリル１３２の間、即ち、前記筐体１５０の正面上部の位置に平面部を形成している。これにより、最も吸込効率が良好な位置に前記前面吸込グリル１３１を設けることで運転効率を向上させながら、その上部に位置し、かつ前記前面吸込グリル１３１と比較して運転効率に影響し難い位置である前記筐体１５０の前面上部に前記平面部を残すことにより、室内ユニット１００を室内の壁面に馴染むようにしている。
【００２８】
ここで、この実施の形態では、前記前面吸込グリル１３１及び前記上部吸込グリル１３２に前記筐体１５０の長手方向に沿った横桟を基調としたグリル形状としている。そして、前記前面吸込グリル１３１は、ピッチが密な斜めグリルを採用することにより、設置状態において、使用者から前記筐体１５０の内部を見えにくくしている。また上部吸込グリル１３２は、見え難い位置であるためにその開口面積を大きくして運転効率を向上させている。
【００２９】
更に、この実施の形態では、前記平面部に、前記前面吸込グリル１３１から連続的に、あるいは段階的に開口面積が小さくなり、この平面部に馴染むグラデーショングリル１４０（図５参照）を形成している。グラデーショングリル１４０は、そのピッチＰ２を開口部５９５の大きさを変化させずにグラデーショングリル１４０の高さｈ２まで連続的あるいは段階的に大きくしていくこと、あるいは開口部５９５の高さｈ３をグラデーショングリル１４０の高さｈ２まで連続的あるいは段階的にに小さくしていくことにより形成されている。これにより、前記平面部に形成したグラデーショングリル１４０を前記前面吸込グリル１３１から連続して前記平面部に馴染むグリル形状とすることができるので、前記前面吸込グリル１３１と平面部の分離感を軽減して前記前面吸込グリル１３１を目立たなくするとともに、吸込面積を増し、効率を向上させることができる。なお、グラデーショングリル１４０の構成については後述する。
【００３０】
前記吹出口１３３には、図示しないモーターにより開閉角度を調整可能な一対の横ルーバー１３４を備え、前記室内ユニット１００の運転停止時にこの吹出口１３３の開口部を隠蔽し、運転時には前記開口部を露出すると共に、この横ルーバー１３４の開閉角度を調整することにより前記吹出口１３３から吹き出す室内空気を運転モード（冷房や暖房、除湿）に合わせて吹き出し角度を調整することができる。
【００３１】
また、この室内ユニット１００は、前記リモコン３００との間でデータの送受信を行う送受信部１１０と、この室内ユニット１００の運転状態を表示する運転状態表示部１３５を前記筐体１５０の前面に設けている。この実施の形態では、前記送受信部１１０をこの室内ユニット１００の電装品が配置された側、即ち、前記吹出口１３３の片側に設けて配線を短縮することで、組み立て性を向上している。また前記運転状態表示部１３５は、前記筐体１５０のほぼ中央、即ち、前記前面吸込グリル１３１と前記吹出口１３３の間に設けることで、使用者からの視認性を向上している。更に、この運転状態表示部１３５は、連続した複数の光源を備え、これら光源を運転状態の出力、あるいは設定温度または湿度に対する現在温度または湿度との差に対応させて段階的に光源の数を点灯させることで、使用者に運転状況をイメージ的に認識させるようにしている。また、これら複数の光源の点灯の組み合わせにより、多様なエラー表示や各種の状態表示を可能にしている。
【００３２】
更にまた、この実施の形態では、前記運転状態表示部１３５を、表示される情報に対応してそれぞれの情報表示エリアを備えるようにすることで、視認性を向上させている。この実施の形態では、例えば、温度に対応した第１情報表示エリアと湿度に対応した第２情報表示エリア（図１８参照）に分割し、第１情報表示エリアおよび第２情報表示エリアを複数の光源が一列に並んで連続した棒状に形成し、前記筐体１５０の左右の中心位置近傍を中心として左右に振り分けて配置し、１本の棒状に形成している。このように形成することで、シンプルな形態を取って意匠効果を向上させつつ、温度と湿度の分割表示を可能とするとともに、運転出力あるいは前記温度差や湿度差を視覚的に分かりやすく表示することができる。しかも、運転状態表示部１３５を左右に長く、細い棒状とすることで、前記吹出部１３３と前面吸込グリル１３１との間の空間に効率よく配置することができる。
【００３３】
前記室外ユニット２００は、内部に図示しない圧縮機と熱交換器および室外ファンが設けられている。この室外ユニット２００は、冷媒配管ならびに電気配線を介して前記室内ユニット１００と接続されており、両ユニットの間で冷媒を循環させることで、室内の冷暖房や除湿運転を行うことができる。
【００３４】
前記リモコン３００は、送受信装置３１０を備えて前記室内ユニット１００に対して、各種の操作指示信号を送信するとともに、前記室内ユニット１００から各種の情報を入手することができる。この実施の形態では、前記室内ユニット１００および室外ユニット２００に備えた各種のセンサからの情報、例えば、室温や湿度、外気温等の情報を入手し、前記リモコン３００に備えた表示部３２０に入手した情報を表示させることができる。
【００３５】
この実施の形態のリモコン３００は、前記室内ユニット１００や室外ユニット２００から入手した前記情報を、例えば数値情報として明確なデータとして前記表示部３２０に表示させると共に、この情報と対比させる形式で室内ユニット１００を自動運転するために予め設定された情報、あるいは、使用者により入力（設定）された情報を表示することにより、設定情報の入力の操作性の向上と、設定情報と前記入手情報の対比による視認性を向上することができる。
【００３６】
また、この実施の形態では、前記入力性と視認性の向上を図るために、表示部３２０を、前記入手情報を表示する入手情報表示エリア３２０ａと、設定情報を表示する設定情報表示エリア３２０ｂとに分け、これらを隣接させて設けることで、設定情報と入手情報との対比をしやすくしている。更に、本実施の形態では、入手情報表示エリア３２０ａと設定情報表示エリア３２０ｂとを、表示される設定情報と入手情報との種類に対応してそれぞれ第３情報表示エリアと第４情報表示エリアとして左右に振り分けられており、第３情報表示エリアと第４情報表示エリアに表示される情報を対比させることで前記入力性と視認性を向上している。更に、本実施の形態においては、第３情報表示エリアおよび第４情報表示エリアに表示される情報と関連する使用頻度の高い操作ボタンをそれぞれの情報表示エリアに対応して左右に振り分けることにより、操作性を向上させている。
【００３７】
特に、この実施の形態では、前記第３情報表示エリアには温度に関する情報が表示され、前記第４情報表示エリアには湿度に関する情報が表示されるように構成し、前記第３情報表示エリアおよび前記第４情報表示エリアに対応して温度に関する操作ボタン、湿度に関する操作ボタンをそれぞれ左右に振り分けることで、操作性を向上させている。更に、この実施の形態では、使用者がこのリモコンを室内ユニット１００に向けた際に、左右に振り分けられた運転状態表示部１３５が、このリモコンの左右に振り分けられた情報表示エリアと操作ボタンとが一致するようにしている。
【００３８】
本実施の形態における空気調和システムは、前記リモコン３００を操作して前記室内ユニット１００を動作させることにより、前面吸込グリル１３１および上部吸込グリル１３２から室内空気を取り込み、この室内空気を室外ユニット２００と後述する冷凍サイクルを利用して熱交換を行い、熱交換された室内空気を前記吹出口１３３から吹き出すことにより、室内における冷房運転、暖房運転および除湿運転等を行うことができる。
【００３９】
そして、この実施の形態の大きな特徴の一つは、室内ユニット１００の筐体１５０の前面に配置される吸込グリルを、前記前面吸込グリル１３１と、この前面吸込グリル１３１と連続して、その開口面積が段階的に、あるいは連続的に変化するグラデーショングリル１４０（図５参照）とで構成したことにある。もちろん、前面吸込グリル自身を段階的に、あるいは連続的に変化するグラデーショングリルとして、前記グラデーショングリル１４０と一体的に処理してもよい。これにより、運転効率を向上させながら意匠性及び設置性を向上させることができる。
【００４０】
更に、この実施の形態の大きな特徴の他の一つは、運転状態を、室内ユニット１００ではイメージ的に認識でき、リモコン３００では明確な数値情報として認識できる操作表示機構を採用したことにある。そして、この操作表示機構を双方向で情報交換可能としたことにより、的確な運転情報をリモコン３００側で入手して、入手した運転情報をリモコン３００の表示部３２０に表示するようにしている。これにより、運転操作を行う場合は、情報を数値データとして使用者の身近にあるリモコン３００側で的確に認識して各種の操作を行うことができ、また室内ユニット１００や室外ユニット２００で入手した各種の情報を認識することができる。
【００４１】
一方、リモコン３００で操作を行わない場合、あるいは詳細な情報を入手する必要がない場合は、室内ユニット１００の運転状態表示部１３５にてイメージ情報として運転状況を把握することができる。
【００４２】
更に、この実施の形態では、リモコン３００の表示部３２０と使用頻度の高い操作ボタンの配置を情報の種類により振り分け、更にその配置を室内ユニット１００の運転状態表示部１３５の配置と一致させたことにより、室内ユニット１００に向かって操作する人の操作性や視認性を向上することができる。
【００４３】
以下、図２から図２５を参照して、本実施の形態に係る空気調和システムを詳細に説明する。
【００４４】
先ず、図２から図５を参照して室内ユニット１００を詳細に説明する。図２は室内ユニット１００の縦断面図、図３は冷凍サイクルの装置図、図４は室内ユニット１００の外観図、図５は室内ユニット１００の前面グリルの部分拡大図とその要部断面図である。
【００４５】
図２において、室内ユニット１００の前記筐体１５０は、樹脂成型のバックキャビネット２１０と、該バックキャビネット２１０の前面に設けられる樹脂成型の化粧カバー２２０と、該化粧カバー２２０の前面に設けられた樹脂成型のフロントパネル２３０とから構成されている。
【００４６】
室内ユニット１００は、前記バックキャビネット２１０の内側に貫流型の室内ファン１０９と熱交換器とドレン皿等の基本的な内部構造体が取付けられている。室内ファン１０９は、一端の回転軸がファンモータ、他端の回転軸がベアリングで支持され、前記バックキャビネット２１０の下方に横姿勢で取付けられる。
【００４７】
熱交換器は、３個の熱交換部１０２，１０３、１０４とから構成され、第１熱交換部１０２は前記室内ファン１０９の前部に縦姿勢で配置され、第２熱交換部１０３、第３熱交換部１０４は前記熱交換部１０２の上端の後方に山型に配置されることで、前記室内ファン１０９の前部と上方を包むように配置される。ドレン皿１７０は、前記熱交換器の下方に配置され、該熱交換器の露を受けて図示しないドレンノズルを介して室外に排出する。また、ドレン皿１８０は第３熱交換部１０４の露を受けるものであり、前記バックキャビネット２１０とともに吹出通風路２５０を形成する。該ドレン皿１７０の下面には、複数の左右方向の風向と上下方向の前記風向板が取付けられている。
【００４８】
ここで、前記風向板は一端にステッピングモータ取付けられており、自動で風向角度を変更することができる。
【００４９】
さて、前記バックキャビネット２１０の内側に取付けられた室内ファン１０９等の基本的な内部構造体は、前記化粧カバー２２０を取付けることにより室内ユニット１００内に包含される。前記化粧カバー２２０には、その前面（図面上左側）に空気清浄フイルタ２６０と前記フイルタ１３０が着脱可能に取付けられる。また、更に図示しない前記表示部及び前記受光部が前記化粧カバー２２０に取付けられる。そして、前記化粧カバー２２０の前面に前記フロントパネル２３０がその上端の両側に設けた開閉ヒンジを介して前記化粧カバーに回転可能に軸支され、その下端を開放可能に取付けられる。
【００５０】
また、前記バックキャビネット２１０の上部内壁は、第３熱交換部１０４の露を受けるドレン皿１８０が形成される。該ドレン皿１８０で収集した水滴は図示しない通路を介して前記吹出部１３３の上方の前記ドレン皿１７０に集められる。また、このドレン皿１８０は、前記バックキャビネット２１０の下部内壁と吹出部１３３を形成する前記化粧カバー２２０とともに断面形状を円弧状に形成され、前記室内ユニット１００のほぼ中央やや後方に配置される室内ファン１０９を包むような後部通風面２５０を形成する。前記熱交換器の露を受けるドレン皿１７０の下面部は、前記吹出部１３３の前部通風面を構成し、該前部通風面と後部通風面とで吹出通風路２５０を構成する。
【００５１】
また、水平方向の前記風向板は前記ドレン皿１７０の下面部後方と、前記バックキャビネット２１０の下部内壁の下端部に回転自在に軸支される。
【００５２】
山型に組み合わされた前記第２熱交換部１０３、第３熱交換部１０４は、その頂点を前記室内ファン１０９のほぼ上方の連結点Ｑで屈曲して設けられている。前記連結点Ｑは、バックキャビネット２１０と前記化粧カバー２２０との結合部に位置している。この実施の形態では、前記上面吸込グリル１３２を前記化粧カバー２２０に形成した上面前部吸込グリル１３２ａと、バックキャビネット２００に設けた上面後部吸込グリル１３２ｂとで構成している。したがって、熱交換効率が悪い前記連結点Ｑを山型の頂点に位置させて、熱交換効率が高い山型に組み合わされた熱交換器の前側を構成する前記第２熱交換部１０３は前記上面前部吸込グリル１３２ａから、山型の後方の前記第３熱交換部１０４は前記上面後部吸込グリル１３２ｂから、それぞれ室内空気を効率よく吸い込むことができる。
【００５３】
前記第１熱交換部１０２、第２熱交換部１０３および第３熱交換器１０４は、熱的な切断線１２４により熱的に分離されて構成されている。図３で詳細に説明するように、この実施の形態では、除湿運転時に絞り作用を行う除湿用絞り装置１０５を備え、この一方の接続口に山型に配置された第２熱交換部１０３と第３熱交換部１０４の配管を接続し、前記除湿用絞り装置１０５の他方の接続口には前記第１熱交換部１０２の配管を接続するようにしている。
【００５４】
なお、図２に示した前記熱交換器（第１熱交換部１０２、第２熱交換部１０３、第３熱交換部１０４）において、○印で示した１２０は複数枚の放熱フィンを貫通するように設けられた伝熱管であり、図示しない接続管で接続されている。
【００５５】
この実施の形態の構造によれば、室内空気を、室内ファン１０９により、矢印９１、９２、９３のように、それぞれ前面吸込グリル１３１、上面前部吸込グリル１３２ａ、上面後部吸込グリル１３２ｂからフィルタ１３０を通って室内ユニット１００に吸い込み、冷暖房運転時には、これら吸い込んだ室内空気を冷風又は温風に熱交換し、除湿運転時には、前記第１熱交換部１０２で冷風に熱交換し、山型に配置された前記第２熱交換部１０３、第３熱交換部１０４を前記第１熱交換部１０２と分離して温風に熱交換して、室内ファン１０９を通り、吹出口１３３から室内に吹き出される。この構造を、図３を参照して更に説明する。
【００５６】
図３において、５００は回転数制御等により能力可変の冷媒を圧縮する圧縮機、５１０は運転状態を切り換える四方弁、５２０は室外熱交換器、５３０は絞り作用の無い全開状態が可能な電動膨張弁で、前記熱交換器および除湿用絞り装置１０５を加えて、これらが接続配管により環状に接続されて冷凍サイクルを構成している。また図３においては、前記熱交換器の伝熱管の流路状態の一実施の形態を模式的に示してある。
【００５７】
熱交換器は、第２熱交換部１０３と第３熱交換部１０４とが一体に接続されることで、伝熱管が二系統の冷媒流路５４０、５５０となるように構成され、さらに切断線１２４により熱的に分離された第１熱交換部１０２が二冷媒流路５６０、５７０で構成されている。冷媒流路５４０、５５０と二冷媒流路５６０、５７０は除湿用絞り装置１０５を介して接続管１０６および１０７により接続されている。５８０は室外ファンである。
【００５８】
以上の室内機構造および冷凍サイクルにおいて、除湿運転時には四方弁５１０を冷房運転時と同様に切り換え、除湿用絞り装置１０５を適当に絞り電動膨張弁５３０を全開にすることにより、冷媒を一点鎖線で示すように圧縮機５００、四方弁５１０、室外熱交換器５２０、電動膨張弁５３０、熱交換器の第２熱交換部１０３と第３熱交換部１０４、除湿用絞り装置１０５、熱交換器１０１の第１熱交換部１０２、四方弁５１０、圧縮機５００の順に循環させ、室外熱交換器５２０が上流側の凝縮器、熱交換器の第２熱交換部１０３と第３熱交換部１０４が下流側の凝縮器、熱交換器の第１熱交換部１０２が蒸発器となるように運転する。
【００５９】
そして、図２において、室内空気を室内ファン１０９により矢印９１、９２、９３で示すように流すと、室内空気は蒸発器として作用する第１熱交換部１０２で冷却・除湿されると同時に、下流側の凝縮器すなわち加熱器となる第２熱交換部１０３と第３熱交換部１０４で加熱され、さらにこれらの空気が混合されて室内に吹き出される。
【００６０】
この場合、回転数を制御して圧縮機５００の能力や室内ファン１０９および室外ファン５８０の送風能力を制御することにより、冷却器および加熱器の能力を調節することができ、除湿量や吹出空気温度を広い範囲で変えることができる。このように、この実施の形態によれば、特に、冷凍サイクルを利用してきめ細かな除湿運転を効率よく行うことができる
次に、図４を参照して、室内ユニット１００の外観構造を詳組に説明する。図４は室内ユニット１００の外観図であり、（ａ）図が正面図、（ｂ）図が右側面図、（ｃ）図が平面図、（ｄ）図が底面図を示している。
【００６１】
図４において、室内ユニット１００は横幅Ｗ１を７９８ｍｍ、高さＨ１を２８５ｍｍ、奥行Ｄ１を２０３ｍｍに設定されており、奥行Ｄ１が高さＨ１より小さい横長の外形寸法を備えている。
【００６２】
（ｃ）図で示す右側面図において、室内ユニット１００は、バックキャビネット２１０を箱型に形成するとともに、化粧カバー２２０とフロントパネル２３０の上下面を、側面から見て、ほぼ上下対称で前方に向けて絞り込まれる大きな曲面３３、３４で形成し、更に、該曲面３３、３４の間に形成されるフロントパネル２３０の前面を後方にやや傾いた大きな曲面３５で形成することにより、壁面に設置した状態において、室内ユニット１００を壁面に馴染んだコンパクトな形態に見せることができる。
【００６３】
更に、上面を曲面３３で形成したことにより、上面吸込グリル１３２を設置状態で目立ち難くするとともに前方上方から室内空気を効率良く吸い込ませることができる。一方、下面を曲面３４で形成したことにより、設置環境に馴染みやすい「面」を生かして吹出部１３３に傾斜を与えることができる。
【００６４】
また、室内ユニット１００は、前記フロントパネル２３０を側面からみて一様な厚みとするとともに、その上下を前記曲面３３、３４に回り込む形状としている。そして、前記フロントパネル２３０の厚みが前記化粧パネル２２０に連続するように前記フロントパネル２３０の部品の割線と連続する凹溝を形成している。これにより、フロントパネル２３０と化粧カバー２２０との嵌合を良好にするとともに、連続した丸みのある大きな曲面にアクセントラインを形成し、奥行感を軽減して、コンパクト感を一層向上させている。
【００６５】
（ａ）図で示す正面図において、室内ユニット１００は、両側面の中央をふっくらした丸み形状とすることにより、内蔵される室内ファン１０９のスペースを確保して、内部実装効率を向上したコンパクトで全体に丸みのある外観形状を形成している。また、フロントパネル２３０の前面に形成される大きな曲面３５の中央には前記前面吸込グリル１３１を設け、その下方には運転状態表示部１３５を備えた下部平面部を形成し、その上部には前記グラデーショングリル１４０を備えた上部平面部を形成している。
【００６６】
これを図２、図５を参照して、更に説明する。先ず、図２において、この実施の形態に採用されている貫流型の室内ファン１０９は、バックキャビネット２１０および化粧パネル２２０のケーシングにより斜め上方から吸い込んで下方に吹き出すことができる。この際、貫流型のファンの特性上、室内ファン１０９に近い位置ほど効率的に室内空気を吸い込むことができる。ここで、この実施の形態では、縦長の筐体１５０の中央に室内ファン１０９を配置し、その前面側に第１熱交換部１０２を配置し、その上部に第２熱交換部１０３および第３熱交換部１０４を山型に配置している。このことから、前記第１熱交換部１０２から吸い込む室内空気が最も吸い込み効率が良好である。しかし、この第１熱交換部１０２の上方の位置は室内ファン１０９からの距離が離れるので吸い込み効率が低下する。また、第１熱交換部１０２の上部には、前部上段に山型に配置された第２熱交換器１０３、第３熱交換部１０４との連結部があり、更に、その上部には化粧パネル２２０とフロントパネル２３０の接合部があるので、前面上方位置での吸い込み効率は前面下部より吸い込み効率が低下する。
【００６７】
一方、筐体１５０の上部に設けられた上面吸込グリル１３２から吸い込まれる室内空気は、室内ファン１０９から離れた位置より吸い込まれるために吸い込み効率は低い。しかし、上面吸込グリル１３２は、設置状態において、使用者から見え難い位置に設けられているために、上面吸込グリル１３２の開口面積を大きくすることで吸い込み効率を向上させることができる。
【００６８】
このように、この実施の形態に係る室内ユニット１００は、最も吸い込み効率が大きい筐体１５０の前部中央に、開口面積が大きく内部が見え難い前面吸込グリル１３１を設け、この前面吸込グリル１３１の上方の吸い込み効率が低い位置には、低くなるにしたがって開口面積が小さくなるグラデーショングリル１４０を設け、筐体１５０の比較的吸い込み効率が低い上面には大きな開口面積を備えた上面吸込グリル１３２を設けている。
【００６９】
この構造を図５を参照して更に説明する。この実施の形態では、前記前面吸込グリル１３１とグラデーショングリル１４０とを、横桟を基調とした断面が斜め形状の複数のリブ５９０ａ、５９０ｂとから構成している。前記各リブ５９０ａ、５９０ｂは、その断面形状が板状に形成され、その長手方向を設置状態において水平方向に向けるように形成するとともに、各リブ５９０ａ、５９０ｂの室内空気が吸い込まれる上流側Ｚ１となる端部５９１が、下流側Ｚ２となる端部５９２ａより、設置状態において上部位置となるように形成している。これにより、室内ユニット１００が壁面に設置された状態では、使用者から前記前面吸込グリル１３１とグラデーショングリル１４０の内部を見え難くすることができる。
【００７０】
また、この実施の形態では、前記各リブ５９０ａ、５９０ｂの下流側Ｚ２となる端部５９２ｂの高さが上流側Ｚ１となる端部５９１の高さとほぼ同じ位置、または上方の位置となるように形成している。これにより、樹脂成形時の型抜きを容易にすることができるとともに、使用者から前記前面吸込グリル１３１とグラデーショングリル１４０の内部を見え難くする効果を得ることができる。
【００７１】
また、この実施の形態では、前記前面吸込グリル１３１とグラデーショングリル１４０の各リブ間５９０ａ、５９０ｂに形成される横長の開口部５９５の大きさ（横幅及び高さ）をほぼ同じ大きさにしている。そして、開口面積が必要な前記前面吸込グリル１３１は、そのピッチＰ１を小さく密に配列して開口面積を大きくし、前記グラデーショングリル１４０のピッチＰ２は、各開口部の間のリブ５９０ｂの前面の高さが前記前面吸込グリル１３１のリブ５９０の高さより徐々に大きく、または段階的に大きくなるように形成することで、グラデーション効果を出している。
【００７２】
なお、図５で示すように、本実施の形態における前記リブ５９０ａ、５９０ｂは、その断面形状が略「Ｌ型」に形成され、前記前面グリル１３１および前記グラデーショングリル１４０を形成するためのグリル形成部５９７ａ、５９７ｂとを備えている。特に、本実施の形態においては、前記リブ５９０ｂに設けられた前記グリル形成部５９７ｂを上部吸込グリル１３２へ向かうにつれて、連続的あるいは段階的に変化させていくことにより、前記グラデーショングリル１４０を形成していることを特徴としている。これにより、上述したような効果を得ることができる。
【００７３】
本実施の形態においては、前記グラデーショングリル１４０を形成しているグリル形成部５９７ｂを中心に説明したがこれに限定されるものでない。例えば、前記リブ５９０ａに設けられた前記グリル形成部５９７ａを前記グラデーショングリル１４０に向けて連続的あるいは段階的に変化させていくことにより、前記前面グリル１３１と前記グラデーショングリル１４０とを連続させた１つのグラデーショングリルとして形成してもよい。
【００７４】
図４に戻り、本実施の形態では、前記前面吸込グリル１３１の大きさを、横幅Ｗ２が７６１ｍｍ、高さＨ２が９０ｍｍに設定している。また、前記グラデーショングリル１４０の大きさを、横幅Ｗ２が７６１ｍｍ、高さＨ３を５２．４ｍｍに設定している。そして、図５で示すように、前記開口部５９５の高さｈ１を２．５ｍｍとして、前記前面吸込グリル１３１のピッチＰ１を５ｍｍ、グラデーショングリル１４０のピッチＰ２を、前記Ｐ１から最上部の５２．４ｍｍの大きさまで連続して、また段階的に大きくしている。
【００７５】
ここで、連続的または段階的とは、全体的に疎の配列から密の配列に移行することを意味している。このように、この実施の形態では、開口面積の大きな前面吸込グリル１３１を中央に配置して、その下部に形成される下部平面部を目立たせ、その上部に形成される上部平面部にグラデーショングリル１４０を備えることにより、前記前面吸込グリル１３１と上部平面部とを馴染ませて、フロントパネル２３０に形成される前面吸込グリル１３１の吸込部の大きさを目立たなくしてインテリアに調和させるようにしている。
【００７６】
なお、本実施の形態では、前記前面吸込グリル１３１とグラデーショングリル１４０の横幅Ｗ２を７６１ｍｍに設定している。しかし、室内ユニット１００の右側端部には機械室が設けられており、前記前面吸込グリル１３１とグラデーショングリル１４０は、この機械室にまで延在して前記化粧パネル２２０形成されている。前記前面吸込グリル１３１とグラデーショングリル１４０の機械室に延在している部分は開口しておらず、前記前面吸込グリル１３１とグラデーショングリル１４０が実際に開口している部分の大きさを本実施の形態においては７２１ｍｍに設定している。
【００７７】
前記下部平面部には、前記前面吸込グリル１３１の下辺に中央が両側より下側にたれ下がって形成される凹状の傾斜面を形成し、この中央部分に前記運転状態表示部１３５を設けている。これにより、前記運転状態表示部１３５を目立たせるとともに、視認性を向上させている。更に、前記下部平面部の片側の下部には、送受信部１１０を設けている。
【００７８】
（ｃ）図で示す平面図において、化粧カバー２２０の上面に形成される前記上面前部吸込グリル１３２ａと、前記バックキャビネット２１０の上面に形成される前記上面後部吸込グリル１３２ｂは、主体となる複数の横桟と補強用の縦桟を疎らに備えたグリル形状とし、周囲に幅の広い筐体面を残すことで、大きな開口面積を得ながら設置状態で目立ち難くい形態としている。
【００７９】
（ｄ）図で示す底面図において、前記化粧カバー２２０の下面に形成される前記吹出部１３３は、前記フロントパネル２３０との分割部に近接して配置される。２枚の前記風向板６ａ、６ｂは大きな曲面３４とほぼ同一の曲面を備えた帯状の形態を備え、閉鎖状態で吹出部１３３の開口部をほぼ隠蔽して、室内ユニット１００の底面に連続した大きな曲面３４を形成する。
【００８０】
以上述べたように、前記室内ユニット１００の外観は、上面と底面が大きな、両側面が小さな曲面を介して前方に向けて絞り込まれ、正面４隅が大きな丸み形状で形成されるラウンドを基調とした上下左右ほぼ対称なコンパクトな形態とし、更に、正面に配置される前面吸込グリル１３１、上面吸込グリル１３２、吹出部１３３、グラデーショングリル１４０、運転状態表示部１３５を中央を基準に左右対称に配置している。このように、前記室内ユニット１００を上述した外観形状とすることにより、壁面に設置した状態において、壁面に馴染んでインテリアに調和しやすいコンパクトな形態にしている。
【００８１】
次に、図６から図１４を参照して、リモコン３００について詳細に説明する。
【００８２】
図６及び図７はリモコンの外観図であり、図６（ａ）はリモコンの正面図、図６（ｂ）は開閉蓋を開いた状態におけるリモコンの正面図、図６（ｃ）はリモコン３００の平面図、図７（ａ）はリモコン３００の正面図、図７（ｂ）は左側面図を示している。
【００８３】
図８、図９、図１０は、前記リモコン３００の筐体３０１を構成する各部品を示す図である。図８は、前記リモコン３００の筐体３０１を構成する上カバーであり、図８（ａ）が前記上カバーの内部外観図、図８（ｂ）が縦断面図である。図９は、前記リモコン３００の筐体３０１を構成する下カバーであり、図９（ａ）が前記下カバーの内部断面図、図９（ｂ）が縦断面図である。図１０は、電池蓋であり、図１０（ａ）は前記電池蓋の内部外観図、図１０（ｂ）は縦断面図である。図１１は、表示部３２０を構成する液晶基板を示す図であり、図１１（ａ）が正面図、図１１（ｂ）が縦断面図である。
【００８４】
図１２および図１３は、前記操作ボタンの構成を示す図である。図１２は前記使用頻度の低い操作ボタンおよび前記運転／停止ボタンの構成を示す図であり、図１２（ａ）が正面図、図１２（ｂ）が背面図、図１２（ｃ）がＡ−Ａ’断面図、図１２（ｄ）がＢ−Ｂ’断面図である。図１３は、前記開閉蓋３０２に設けられた使用頻度の高い操作ボタンの構成を示す図であり、図１３（ａ）が正面図、図１４（ｂ）が背面図、図１３（ｃ）が側面図である。図１４は、前記開閉蓋３０２の構成を示す図であり、図１４（ａ）が内部外観図、図１４（ｂ）が縦断面図である。
【００８５】
本発明における空気調和システムの操作は、主としてリモコン３００により行われる。
【００８６】
図６（ａ）に示すように、前記リモコン３００は、薄形で扁平な縦長の筐体３０１を備え、その筐体３０１の広い面の一部に設けられた開閉蓋３０２と、室内ユニット１００の運転と停止を操作する運転／停止ボタン３０３と、送受信装置３１０と、入手情報を表示する入手情報表示エリア３２０ａと、空気調和機の運転状態やあらかじめ設定された温度、湿度等を表示する設定情報表示エリア３２０ｂとを備えた表示部３２０とを有している。この実施の形態では、送受信装置３１０が設けられた長手方向の片側に表示部３２０を設け、その下側に最も使用頻度の多い運転／停止ボタン３０３を設け、その下側に前記開閉蓋３０２を設けて、その表面に比較的使用頻度の多い操作ボタンを設け、開閉蓋３０２で覆われる本体側に使用頻度の少ない操作ボタンを設けている。これにより、使用者が、前記送受信装置３１０を室内ユニット１００側に向けた際の操作姿勢に置ける操作性と視認性の向上を図っている。
【００８７】
前記送受信装置３１０は、図６（ｃ）に示すように、送信部３１０ａと受信部３１０ｂとから構成される。
【００８８】
この実施の形態では、前記開閉蓋３０２の表面に設けられる使用頻度の高い操作ボタンとして、室内環境を制御する複数の操作ボタンを設けている。室内環境を制御する複数の操作ボタンとして、例えば、冷暖房運転に際して使用頻度の高い操作ボタンとフルシーズンで使用される除湿運転で使用頻度のある操作ボタンを設けている。これらの操作ボタンは、例えば、使用頻度の高い運転モードを設定する、室内ユニット１００に除湿運転を行わせる除湿ボタン３０４、室温と外気温との温度差に合わせて湿度を制御しながら室内ユニット１００を運転させる「涼・快
」ボタン３０５と、室内ユニット１００から吹き出される風向きや風量を自動調整するＰＡＭ気流ボタン３０６とを、１つの操作ボタン群として、前記最も使用頻度の高い運転／停止ボタン３０３の下側に配置している。
【００８９】
また、冷暖房および除湿運転時の温度と湿度とを独自に設定するための操作ボタンとして、例えば、湿度の設定を行う湿度設定ボタン３０７と、室温の設定を行う室温設定ボタン３０８とを並設させて前記運転モード切り替えのボタン群の下に設けている。これにより、温度と湿度を同一の操作レベルで独立して設定することができる。
【００９０】
更に、前記開閉蓋３０２の表面下部には、前記冷暖房運転および除湿運転には左右されない他の使用頻度の高い操作ボタンとして、就寝時などに簡易的なタイマーを設定することができる簡易タイマー設定ボタン、例えば、おやすみボタン３０９と、室内の湿度や室温、外気温などを入手情報エリア３２０ａに表示するように指示する指示ボタン、例えば、おしえてボタン３４０を設けている。
【００９１】
このように、この実施の形態に係るリモコン３００は、室内ユニット１００や室外ユニット２００から得られる情報を見ながら、リモコン３００の外表面に使用頻度の高い順に配置された使用頻度の高い操作ボタンを操作して、設定情報を前記設定情報表示エリア３２０ｂに表示させて操作することができる。
【００９２】
特に、本実施の形態のリモコン３００の特徴の一つは、前記表示部３２０を上下２段に分け、入力情報表示エリア３２０ａと設定情報表示エリア３２０ｂとが保持姿勢において上下となるように配置した点にある。一般に、使用者は横書きの文章のように、上から下方に向かって、文章や各操作手順を認識する。この実施の形態では、この使用者の行動を利用して、上段に基本となる入手情報を表示する入手情報表示エリア３２０ａを設け、この下方の位置に隣接して設定情報表示エリア３２０ｂを表示し、更に、その下方に操作ボタンを配置している。
【００９３】
これにより、使用者は室内ユニット１００や室外ユニット２００から入手した情報を基に設定情報を自然な形で認識しながら入力することができる。
【００９４】
また、本実施の形態の特徴の他の一つは、前記入力情報表示エリア３２０ａと前記設定情報表示エリア３０２ｂとに表示される情報と使用頻度の高い操作ボタンを、情報の種類、例えばこの実施の形態では冷暖房に関するものと、除湿に関するもので左右に振り分けた点にある。この実施の形態では、前記入力情報表示エリア３２０ａと前記設定情報表示エリア３２０ｂを、温度の表示エリアと湿度の表示エリアとにそれぞれ左右に分けて設け、更に、この表示エリアに対応して関連のある使用頻度の高い操作ボタンを左右に分けて配置し、温度と湿度のどちらにも関連する操作ボタンを中央に配置している。これにより、使用者に操作ボタンを探させることを軽減して操作性を向上させることができる。
【００９５】
また、本実施の形態のリモコン３００の特徴の他の一つは、前記開閉蓋３０２の表面におしえてボタン３４０を設けたことであり、このおしえてボタン３４０を押すことにより、室内ユニット１００の運転中における室内の温度や湿度、外気温を前記入手情報表示エリア３２０ａに表示させることができる。これにより、常時、室内ユニット１００とリモコン３００との送受信を行うことなく、必要な時に送受信を行わせることができるので、リモコン３００の消費電源を軽減することができる。
【００９６】
また、空気調和システムが運転していない時においても、おしえてボタン３４０を押すことで、室内ユニット１００から入手した室温や湿度、室外ユニット２００から入手した外気温を入手情報表示エリア３２０に表示させることができる。また、前記使用頻度の高い操作ボタンである除湿ボタン３０４、「涼・快」ボタン３０５、 ＰＡＭ気流ボタン３０６で、冷暖房時における使用頻度の高い運転モードや除湿運転を主体とした運転モードの切り替え、あるいは、湿度設定ボタン３０７、室温設定ボタン３０８、による各運転モードにおける温度および湿度の設定、更に、おやすみボタン３０９による就寝時のタイマー設定、入手情報を得たいときに使用するおしえてボタン３４０などを前記開閉蓋３０２の表面に設けたので、使用頻度や操作性に沿って室温や湿度、風向き、風量等を容易に調節することができ、使用者の快適な室内空間を簡単な操作で作ることができるように空気調和システムを運転させることができる。
【００９７】
また、前記開閉蓋３０２を開くと、図６（ｂ）で示すように、前記開閉蓋３０２の内側（上カバーの表面）には比較的使用頻度の低い操作ボタンが設けられている。比較的使用頻度の低い操作ボタンとして、例えば、室内ユニット１００の運転モード、例えば冷房運転、暖房運転、除湿運転等を切り換える運転切換ボタン３５１、風速を切り換える風速切換ボタン３５２、風向きの調節を行う風向調節ボタン３５３、３５４、室内ユニット１００に急冷房運転や急暖房運転を行わせるパワフルボタン３５５、室内ユニット１００に空気清浄運転を行わせる空清ボタン３５８、フィルターの汚れ具合を表示するフィルターボタン３５９、室内ユニット１００のタイマー設定の取り消しを行う取消ボタン３６０、時刻を設定する時刻設定ボタン３６１、室内ユニット１００の予約運転の設定を行う予約ボタン３６２と、リモコン３００の設定を初期状態に戻すリセットボタン３６３、室内ユニット１００のタイマー運転のＯＮ／ＯＦＦ（入／切）を設定するタイマーボタン３６４、日付や時刻が設定されている状態の時に押下することにより日付や時刻を表示する日付・時刻ボタン３６５などが配置されている。ここで、風向調節ボタン３５３は上下の風向きの調節を行い、風向調節ボタン３５４は左右の風向きの調節を行う。
【００９８】
これらの使用頻度の低い操作ボタン３５１〜３６５は、主として空気調和機の運転状態を詳細に設定するために用いられるものである。これらの操作ボタン３５１〜３６５により設定された運転状態は、前記リモコン３００に記憶されるので、空気調和機を再度運転させた時に運転状態を再度設定する必要がなく、また通常のリモコン３００の使用時においては、前記開閉蓋３０２の内側（上カバーの表面）に配置されているので、操作ボタンの誤操作を軽減することができる。
【００９９】
なお、使用頻度の低い操作ボタンとして、空気調和機の予熱を行う予熱ボタン３５６や空気調和システムに室内ユニット１００とは別体に設けた加湿器（図示省略）を制御する加湿器ボタン３５７などを設けてもよい。
【０１００】
図７において、本発明に係るリモコン３００は、奥行寸法Ｄが薄く、横幅寸法Ｗ１より高さ寸法Ｈ１が長い薄形／偏平で縦長の本体形状を備えている。このリモコン３００は、長手方向の一端に送受信部３１０を備え、使用者がこの送受信部３１０を室内ユニット１００の送受信部１１０に向けながら片手で保持した際に保持性が良好な形状としている。
【０１０１】
本実施の形態においては、リモコン３００の大きさが奥行寸法Ｄ２を２２ｍｍ、横幅寸法Ｗ４を６１ｍｍ、高さ寸法Ｈ４を１９６．５ｍｍに設定することで、保持性の良好な大きさとしている。また、前記表示部３２０に配置される前記入手情報表示エリア３２０ａおよび前記設定情報表示エリア３２０ｂは、横幅寸法Ｗ５および高さ寸法Ｈ５、Ｈ６をそれぞれ４８ｍｍ、１１ｍｍ、４９ｍｍに設定することにより、前記入力情報表示エリア３２０ａおよび前記設定情報表示エリア３２０ｂに表示される内容を見易くすることができる。本実施の形態においては、リモコン３００および表示部３２０の寸法を上記寸法に設定しているが、 この寸法に限定されるものではなく、任意の寸法に設定しても良い。
【０１０２】
次に、本実施の形態に係る前記リモコン３００および操作ボタン、表示部３２０の構成について説明する。
【０１０３】
本実施の形態においては、図８および図９で示すように、前記リモコン３００の筐体３０１が、上カバー４０１と下カバー４０２とから構成されている。前記上カバー４０１は、前記筐体３０１の前面（正面）側をカバーし、前記下カバー４０２は、前記筐体３０１の背面をカバーするように、前記筐体３０１の周側面に形成された分割溝３９０（図７（ｂ）参照）を介して前記上カバー４０１に取り付けられる。前記開閉蓋３０２は、前記上カバー４０１の前面（正面）下方にヒンジ３９１（図７（ｂ）参照）を介して開閉可能に取り付けられている。
【０１０４】
前記上カバー４０１には、前記使用頻度が低い操作ボタン３５１〜３６５を配置するための複数の開口部４１０と、前記表示部３２０を配置するための開口部４２０とを備えている。また前記上カバー４０１の下方には、電池を収納する電池収納部４３０を備え、図１０で示す電池蓋７００により、前記電池収納部４３０をカバーしている。前記電池蓋７００は、爪７１０を前記下カバー４０２の爪取付部４４０に嵌合させることで前記下カバー４０２に取り付けられ、前記電池収納部４３０をカバーしている。
【０１０５】
表示部３２０は、例えば、図１１で示すように、一枚の液晶基板７５０の印刷面７６０に印刷を施すことにより形成されており、前記液晶基板７５０は前記開口部４２０を介して前記上カバー４０１に取り付けられるように構成されている。前記液晶基板７５０の下方には、前記運転／停止ボタン３０３が取り付けられる開口部７７０が設けられている。
【０１０６】
本実施の形態においては、液晶基板７５０として通常の液晶基板を使用しているが、通常の液晶基板に変えて、カラー液晶基板を用いても良い。カラー液晶基板を用いることにより室内ユニット１００の動作状態に対応した表示、例えば、冷房運転においては青色系の表示、除湿運転においては緑色系の表示、暖房運転においては橙色系の表示とすることにより、空気調和機の動作状態に対応させて表示部３２０の色を変えることができ、操作性や視認性をさらに向上することができる。
【０１０７】
次に、前記上カバー４０１に配置される、使用頻度の低い操作ボタン３５１〜３６５の構成について説明する。
【０１０８】
図１２で示すように、前記使用頻度の低い操作ボタン３５１〜３６５は、ゴム等の軟質材料で形成され、第１基板９００に取り付けられる。前記使用頻度の低い操作ボタン３５１〜３６５は、前記第１基板９００との接触部に導電材料９１０を有し（図１２（ｂ）参照）、前記使用頻度の低い操作ボタン３５１〜３６５のいずれかが押下されると前記導電材料９１０が前記第１基板９００の所定の回路に接触し、押下された操作ボタンに対応する操作信号を発信するようになっている。前記使用頻度の低い操作ボタン３５１〜３６５が取り付けられた第１基板９００は、前記液晶基板７５０や図示しないマイコン（中央処理装置）、送受信回路等と配線され、前記液晶基板７５０やマイコン（中央処理装置）、送受信回路等を含めて前記下カバー４０２の内側に設けられた位置決めリブ４５１〜４５５（図９（ａ）参照）により位置決めされると共に、開口部４１０および開口部４２０とを介して前記上カバー４０１に取り付けられる。
【０１０９】
次に、前記開閉蓋３０２に設けられた使用頻度の高い操作ボタン３０４〜３０９およびおしえてボタン３４０の構成について、図１３および図１４を用いて説明する。
【０１１０】
前記開閉蓋３０２に配置される使用頻度の高い操作ボタン３０４〜３０９およびおしえてボタン３４０は、ゴム等の軟質材料で形成され、その形状が図１３（ｃ）で示すように、側方から見て「Ｔ字」形状をなしている。
【０１１１】
前記使用頻度の高い操作ボタン３０４〜３０９およびおしえてボタン３４０は、図１４で示すように、前記開閉蓋３０２に形成された複数の開口部８２０を介して前記開閉蓋３０２に取り付けられ、前記開閉蓋３０２の内側に形成された位置決めリブ８３０、８４０、８５０とを介して前記開閉蓋３０２に取り付けられる背面板８１０により、前記使用頻度の高い操作ボタン３０４〜３０９およびおしえてボタン３４０が前記開閉蓋３０２に保持される。
【０１１２】
前記使用頻度の高い操作ボタン３０４〜３０９およびおしえてボタン３４０は、前記開閉蓋３０２が閉じた状態で押下することにより機能するものである。前記開閉蓋３０２が閉じた状態で、前記使用頻度の高い操作ボタン３０４〜３０９およびおしえてボタン３４０のいずれかを押下することにより、前記使用頻度の高い操作ボタン３０４〜３０９およびおしえてボタン３４０に対応する「Ｔ字」形状の端部８０５が前記背面板８１０より突出し、前記上カバー４０１に取り付けられた使用頻度の低い操作ボタン３５１〜３６５に設けられたいずれかの前記導電材料９１０を介して前記第１基板９００の所定回路と接触し、押下した使用頻度の高い操作ボタン３０４〜３０９およびおしえてボタン３４０のいずれかに対応する操作信号を発信するようになっている。
【０１１３】
前記使用頻度の高い操作ボタンである、前記室温設定ボタン３０８および前記湿度設定ボタン３０７は、図１３（ｃ）で示すように、側面から見て中央部が凹んだ円弧形状で形成されている。そして円弧形状の上方に位置し、室温および湿度を上昇させる上ボタン３０７ａ（３０８ａ）と、円弧形状の下方に位置し、室温および湿度を下降させる下ボタン３０７ｂ（３０８ｂ）とをそれぞれ備えている。ここで、使用者は表示部３２０を上方にして持つ自然な保持姿勢において、リモコン３００の前後方向を上下方向として認識する。
【０１１４】
本実施の形態では、前記使用者の認識を利用して、前記室温設定ボタン３０８および前記湿度設定ボタン３０７の長手方向をリモコン３００の筐体３０１の長手方向に設けて、表示部側を上ボタン３０７ａ（３０８ａ）、反対側を下ボタン３０７ｂ（３０８ｂ）とすることにより、使用者に各設定ボタンの配置を意識させることなく自然な動作で操作させて操作性を向上させることができる。
【０１１５】
また、前記上ボタン３０７ａ（３０８ａ）および前記下ボタン３０７ｂ（３０８ｂ）は、図１３（ａ）で示すように、それぞれ楕円形状で形成されており、方向性を示す凹部８３０ａ、８３０ｂをそれぞれ備えている。本実施の形態においては、前記上ボタン３０７ａ（３０８ａ）を前記湿度設定ボタン３０７（室温設定ボタン３０８）より突出して形成されており、前記下ボタン３０７ｂ（３０８ｂ）を前記湿度設定ボタン３０７（室温設定ボタン３０８）より凹んで形成している。そして、前記上ボタン３０７ａ（３０８ａ）と前記下ボタン３０７ｂ（３０８ｂ）の表面に、前記凹部８３０ａ、８３０ｂとして例えば、前記上ボタン３０７ａ（３０８ａ）には上方向に向いた矢印、前記下ボタン３０７ｂ（３０８ｂ）には下方向に向いた矢印をそれぞれ設けている。このため、使用者の指先の感覚および視覚でその機能を明確に認識することができる。
【０１１６】
本実施の形態では、凹部８３０ａ、８３０ｂとして方向性を示す矢印を使用したが、これに限定されるものではない。例えば、凹部８３０ａ、８３０ｂとして、三角形状を使用しても良い。この場合、前記上ボタン３０７ａ（３０８ａ）には頂点が上方向に向いた三角形状の凹部、前記下ボタン３０７ｂ（３０８ｂ）には頂点下方向に向いた三角形状の凹部を設けるようにすることで、方向性を出すことができる。
【０１１７】
本発明における空気調和システムの操作は、上述したように、主としてリモコン３００により行われる。図１５および図１６を用いて、本発明に係るリモコン３００を用いた空気調和システムの動作について更に説明する。なお、本実施の形態においては、一例として、運転モードを除湿運転とした状態について説明する。
【０１１８】
図１５は、本発明における空気調和システムの概略構成を示すブロック図である。図１５において、１００ａは室内ユニット１００の概略構成、２００ａは室外ユニット２００の概略構成、３００ａはリモコン３００の概略構成を示している。また図１６は、入手情報表示エリア３２０ａおよび設定情報表示エリア３２０ｂの表示状態を示しており、図１６（ａ）は室内ユニット１００の停止状態における表示状態、図１６（ｂ）〜（ｄ）は室内ユニット１００の運転状態における表示状態、図１６（ｂ）〜（ｄ）は室内ユニット１００の運転状態における表示状態を示している。
【０１１９】
図１５において、前記室内ユニット１００は、横ルーバー１３４の角度調整や室内ファン１０９の動作制御等を含んだ室内ユニット１００全体の運転動作を制御する室内ユニット制御装置６０１と、室内の温度を検出する室内温度センサ６０２と、室内の湿度を検出する室内湿度センサ６０３と、前記リモコン３００から送信された制御信号を受信する第２受信部６０４と、前記室内温度センサ６０２および前記室内湿度センサ６０３により検出した温度・湿度を第１受信部６１１へ送信する第２送信部６０５とを備えている。
【０１２０】
前記室外ユニット２００は、室外ファン５８０の動作や室外熱交換器５２０等の制御を含んだ空気調和機全体の運転動作を制御する室外ユニット制御装置６０６と、外気温を検出する室外温度センサ６０７とを備えている。
【０１２１】
前記室内ユニット制御装置６０１と前記室外ユニット制御装置６０６とは、電気配線等により接続されており、前記室外ユニット２００は、前記室内ユニット１００の運転と同期して運転するようになっている。
【０１２２】
前記リモコン３００は、空気調和システムの使用者により選択された運転機能を選択する選択装置６０８と、前記選択装置６０８からの信号を受信し、前記室内ユニット１００を運転させる信号の処理を行う中央処理装置６０９と、前記中央処理装置６０９から送信される信号を受信し前記室内ユニット１００へ操作信号を送信する第１送信部６１０と、前記室内温度センサ６０２または前記室内湿度センサ６０３、前記室外温度センサ６０７からの信号を受信する第１受信部６１１とから構成される。
【０１２３】
以上のような構成からなる空気調和システムにおいて、例えば、除湿運転を行う場合、まず、リモコン３００の表面（開閉蓋３０２の表面）に設けられた除湿ボタン３０４を押すことにより、入力信号が選択装置６０８に入力され、選択装置６０８から除湿運転の運転モードが選択される。選択装置６０８は、除湿運転を行うための運転モード信号を中央処理装置６０９に伝達し、除湿運転を行うための運転モード信号を受信した中央処理装置６０９は、第１送信部６１０を介して室内ユニット１００に除湿運転を行わせる指示を赤外線信号により第２受信部６０４に向けて送信する。また中央処理装置６０９は、第１送信部６１０を介して第２受信部６０４に赤外線信号を送信すると同時に、設定情報表示エリア３２０ｂにも除湿運転を行う運転モード信号を伝達することで、図１６（ａ）で示した室内ユニット１００の停止状態の表示から、図１６（ｂ）で示すように、設定情報表示エリア３２０ｂの表示が除湿運転を行っていることを示す表示へと変化する。設定情報表示エリア３２０ｂには、除湿運転であることを示す運転モードや風速、風向き、除湿運転を行うためにあらかじめ設定されている室温・湿度などが表示される。
【０１２４】
前記第２受信部６０４は、第１送信部６１０（リモコン３００）から送信された赤外線信号（運転モード信号）を受信し、受信した赤外線信号を室内ユニット制御装置６０１に伝達し、室内ユニット制御装置６０１は運転モード信号に基づいて室内ユニット１００を構成する各要素（図２参照）を制御して除湿運転を行う。また室内ユニット制御装置６０１は、室内ユニット１００に除湿運転を行わせると共に、室内ユニット１００の筐体１５０に設けられた表示ランプ６２０を点灯させる。さらに室内ユニット制御装置６０１は、運転モード信号を室外ユニット制御装置６０６に伝達し、室外ユニット制御装置６０６は運転モード信号に基づいて室外ファン５８０などの室外ユニット２００を構成する各要素（図３参照）を制御して除湿運転を行う。
【０１２５】
ここで、前記リモコン３００に設けられた前記おしえてボタン３４０を押すと、室温や室内の湿度、外気温や室外の湿度などが前記入手情報表示エリア３２０ａに表示される。より具体的には、前記おしえてボタン３４０を一回押すと、室内温度センサ６０２により検出された室温、および室内湿度センサ６０３により検出された室内の湿度が前記入手情報表示エリア３２０ａに表示され（図１６（ｃ）参照）、さらに前記おしえてボタン３４０を押すと、室外温度センサ６０７により検出された外気温が前記入手情報表示エリア３２０ａに表示される（図１６（ｄ）参照）。
【０１２６】
以上のように、本発明に係るリモコン３００は、前記おしえてボタン３０４を押すことにより、現在の室温や湿度、外気温を適宜表示できるので、表示した室温や湿度、外気温に応じて室内ユニット１００の運転のＯＮ／ＯＦＦを行えるため、空気調和システムの省エネ運転が可能となる。
【０１２７】
上述した除湿運転においては、除湿ボタン３０４を押すことにより、自動的にあらかじめ設定された室温や湿度で除湿運転を行うが、本発明に係るリモコン３００においては、必要によって前記湿度設定ボタン３０７や前記室温設定ボタン３０８を操作することで、室温や湿度の調節を行うことができる。また、前記「涼・快」ボタン３０５を押下すると、室温と外気温との温度差に対応して湿度を制御しながら除湿運転を行うことができる。これによって、より快適な除湿運転を行うことが可能となる。
【０１２８】
以上のように、本実施の形態においては、一例として除湿運転についての操作、特に湿度の調節について説明した。本実施の形態における空気調和システムでは採用していないが、冷房運転時や暖房運転時においても上記除湿運転と同様な操作で湿度の調節を行うことができるように空気調和システムを構成してもよい。
【０１２９】
例えば、冷房運転時における湿度調節を行う場合、まず前記開閉蓋３０２を開け、運転切換ボタン３５１を操作することにより、空気調和機の運転モードを冷房運転に切り換え、冷房運転を行うためにあらかじめ設定された室温や湿度に基づいて運転が行われると共に、前記設定情報表示エリア３２０ｂにあらかじめ設定された室温や湿度が表示される。そして運転モードを切り換えた後は、前記開閉蓋３０２を閉じる。冷房運転中において、使用者が前記湿度設定ボタン３０７および前記室温設定ボタン３０８を操作することにより、室温や湿度を使用者の体質や体調に合わせた状態で設定できるようにし、設定された室温や湿度に基づいた冷房運転を行うようにすればよい。そして前記おしえてボタン３４０を押すことで、現在の室温や湿度、外気温を表示することができるようにし、必要によって、前記湿度設定ボタン３０７や前記室温設定ボタン３０８を操作することで室温や湿度を調節することができるようにすればよい。さらに、使用者により設定された室温や湿度を記憶するような構成にしておくことで、空気調和機を再度冷房運転とした時に、使用者により設定された室温や湿度に基づいて冷房運転を行うようにしてもよい。
【０１３０】
また、暖房運転時における湿度調節を行う場合、再び前記開閉蓋３０２を開け、運転切換ボタン３５１を操作することにより、空気調和機の運転モードが冷房運転から暖房運転に切り換わり、暖房運転を行うためにあらかじめ設定された室温や湿度に基づいた運転が行われると共に、前記設定情報表示エリア３２０ｂにあらかじめ設定された室温や湿度が表示される。そして運転モードを切り換えた後は、前記開閉蓋３０２を閉じる。暖房運転中において、使用者が前記湿度設定ボタン３０７および前記室温設定ボタン３０８を操作することにより、室温や湿度を使用者の体質や体調に合わせた状態で設定でき、設定された室温や湿度に基づいて暖房運転を行うようにすればよい。そして前記おしえてボタン３４０を押すことで、現在の室温や湿度、外気温を表示することができるようにし、必要によって、前記湿度設定ボタン３０７や前記室温設定ボタン３０８を操作することで室温や湿度を調節することができるようにすればよい。さらに、使用者により設定された室温や湿度を記憶するような構成にしておくことで、空気調和機を再度暖房運転とした時に、使用者により設定された室温や湿度に基づいて暖房運転を行うようにしてもよい。
【０１３１】
以上のような構成とすることにより、より快適な冷房運転や暖房運転を行うことができる。また室温や湿度を調節することにより、室内の冷え過ぎや暖め過ぎを軽減することができ、空気調和システムの省エネ運転が可能となる。
【０１３２】
次に前記リモコン３００に設けられたＰＡＭ気流ボタン３０６を操作した状態について説明する。
【０１３３】
空気調和機があらかじめ設定された室温や湿度、または使用者によって設定された室温や湿度などに従って、上述した除湿運転や冷房運転、または暖房運転を行っている際に、前記ＰＡＭ気流ボタン３０６を押すと、室内ユニット１００から吹き出される室内空気の風向きを、使用者の思うがままに変えることができる。具体的には、前記ＰＡＭ気流ボタン３０６を一回押すと、室内ユニット１００から吹き出される室内空気の風向きが、標準運転の状態における風向きに変えられる。さらに前記ＰＡＭ気流ボタン３０６を押すと、室内空気が一ヶ所に集中するように室内ユニット１００から吹き出され、さらに前記ＰＡＭ気流ボタン３０６をもう一度押すと、室内空気が拡散するように室内ユニット１００から吹き出される。
【０１３４】
以上のように、前記ＰＡＭ気流ボタン３０６を操作することにより、使用者の思うがままに風向きを変えることができるので、使用者にとってより快適な除湿運転や冷房運転、暖房運転を行うことができる。
【０１３５】
次に、前記室内ユニット１００の筐体１５０に設けられた運転状態表示部１３５と、前記リモコン３００の表面に設けられた除湿ボタン３０４や「涼・快」ボタン３０５などの、使用頻度の高い操作ボタンとの配置関係を、図１７を用いて説明する。
【０１３６】
図１７において、運転状態表示部１３５は、前記前面吸込グリル１３１の下方で前記筐体１５０の中央に配置されている。前記運転状態表示部１３５は、前記室内ユニット１００の中央を中心として左右対称に設けられた第１情報表示エリア１３５ａと第２情報表示エリア１３５ｂとから構成されている。前記第１情報表示エリア１３５ａは、冷房運転時または暖房運転時の運転状態を示すものであり、前記第２情報表示エリア１３５ｂは、除湿運転時の運転状態を示すものである。
【０１３７】
前記リモコン３００は、図１７で示すように、前記開閉蓋３０２の表面に設けられた使用頻度の高い各種操作ボタン３０４〜３０９および３４０が、前記室内ユニット１００のほぼ中央を中心として、左右対称に設けられている。ここで各種操作ボタンの配置を見て見ると、前記室内ユニット１００のほぼ中央を中心とした右側には、除湿ボタン３０４や湿度設定ボタン３０７、おやすみボタン３０９、前記室内ユニット１００のほぼ中央を中心とした左側には、ＰＡＭ気流ボタン３０６や室温設定ボタン３０８、おしえてボタン３４０がそれぞれ配置されている。また、室温と外気温との温度差に合わせて湿度を制御しながら室内ユニット１００を運転させる「涼・快」ボタン３０５は、前記除湿ボタン３０４と前記ＰＡＭ気流ボタン３０６の間に配置されている。
【０１３８】
すなわち、前記開閉蓋３０２の表面に設けられた使用頻度の高い各種操作ボタン３０４〜３０９および３４０は、前記室内ユニット１００のほぼ中央を中心とした右側には湿度の設定や調節に関する操作ボタン、前記室内ユニット１００のほぼ中央を中心とした左側には室温の設定や調節に関する操作ボタンが配置されており、前記室内ユニット１００の筐体１５０に設けられた第１情報表示エリア１３５ａと第２情報表示エリア１３５ｂの配置と一致させている。
【０１３９】
これにより、リモコン３００に設けられた各種操作ボタンの操作が容易に行うことができると共に、操作ボタンの誤操作を軽減できる。また、運転状態表示部１３５の視認性を向上することができるので、空気調和システムの運転状態の確認が容易に行える。
【０１４０】
次に図１８から図２３を用いて、運転状態表示部１３５について説明する。図１８は、運転状態表示部１３５の構成を示す図であり、図１８（ａ）は運転状態表示部１３５の正面図、図１８（ｂ）は第１情報表示エリア１３５ａと第２情報表示エリア１３５ｂの構成を示す図である。図１９は前記第１情報表示エリア１３５ａの表示状態を示す図であり、図２０は前記第２情報表示エリア１３５ｂの表示状態を示す図である。図２１、図２２および図２３は、前記運転状態表示部１３５の表示状態を示す図である。
【０１４１】
運転状態表示部１３５は、上述した通り、冷房運転または暖房運転であることを示す第１情報表示エリア１３５ａと、除湿運転であることを示す第２情報表示エリア１３５ｂとから構成される。
本実施の形態においては、図１８から図２２で示すように、第１情報表示エリア１３５ａと第２情報表示エリア１３５ｂは、運転状態を示す表示ランプをそれぞれ４個ずつを備えている。これらの表示ランプは、温度や湿度の設定値と現在値との偏差や、タイマー運転時の予約状態、ホットキープ状態（室内が一定温度になり、空気調和機が待機している状態）、運転モードの判定、エラーメッセージの表示などの機能を備えている。以下、表示ランプについて説明する。
【０１４２】
まず、図１９を用いて、前記第１情報表示エリア１３５ａに設けられた４個の表示ランプ１８１、１８２、１８３、１８４について説明する。前記第１情報表示エリア１３５ａは、上述した通り、空気調和機における運転モードが、冷房運転あるいは暖房運転の状態を表示するものであり、前記リモコン３００を操作して冷房運転あるいは暖房運転を指示することにより、第１情報表示エリア１３５ａが点灯し、運転状態が表示される。リモコン３００により空気調和機の運転モードが指示されると、第１情報表示エリア１３５ａは、４個の表示ランプ１８１、１８２、１８３、１８４により空気調和機の運転状態を表示するように構成されている。  
本実施の形態において第１情報表示エリア１３５ａは、４個の表示ランプ１８１、１８２、１８３、１８４とから構成されているが、空気調和機の運転開始時に４個の表示ランプ１８１、１８２、１８３、１８４の全てが点灯されるわけではない。本実施の形態においては、第１情報表示エリア１３５ａを構成する４個の表示ランプ１８１、１８２、１８３、１８４は、あらかじめ設定された室温と運転を指示した状態における室温との偏差ｄｔにより点灯個数が異なるように構成されている。例えば、本実施の形態においては、運転開始時における設定温度と室温との偏差ｄｔが１０℃より大きい（ｄｔ＞１０）場合、図１９（ａ）で示すように、表示ランプ１８１、１８２、１８３、１８４の全てが点灯し、偏差ｄｔが５℃より大きく１０℃以下（５＜ｄｔ≦１０）の場合、図１９（ｂ）で示すように、表示ランプ１８２、１８３、１８４の３個が点灯し、偏差ｄｔが２℃より大きく５℃以下（２＜ｄｔ≦５）の場合、図１９（ｃ）で示すように、表示ランプ１８３、１８４の２個が点灯し、偏差ｄｔが２℃以下（ｄｔ≦２）の場合、図１９（ｄ）で示すように、表示ランプ１８４が点灯するように構成されている。なお、本実施の形態において、表示ランプ１８１、１８２、１８３、１８４が実線で示されているのは点灯状態または点滅状態、破線で示されているのが消灯状態である。
【０１４３】
これらの表示ランプ１８１、１８２、１８３、１８４は、室内の状態の変化（室温の変化）に伴ってその表示を変化させていくように構成されており、例えば、表示ランプ１８１、１８２、１８３、１８４の全てが点灯（ｄｔ＞１０）して運転している状態から、室温の偏差が５℃より大きく１０℃以下（５＜ｄｔ≦１０）の状態になると、第１情報表示エリア１３５ａの表示は、表示ランプ１８２、１８３、１８４の３個の表示に変化するようになっている。そして、室内の環境（室温や湿度）が設定した状態となったら、空気調和機の運転が待機状態（ホットキープ）となり、表示ランプ１８４が点滅し待機状態であることを表示する。
【０１４４】
本実施の形態においては、表示ランプ１８１〜１８４を設定温度と室温との偏差ｄｔで制御しているが、圧縮機５００（図３参照）の回転数により、表示ランプ１８１〜１８４を制御してもよい。
【０１４５】
次に図２０を用いて、第２情報表示エリア１３５ｂに設けられた４個の表示ランプ１８５、１８６、１８７、１８８について説明する。前記第２情報表示エリア１３５ｂは、上述した通り、空気調和機における除湿運転の状態を表示するものであり、前記除湿ボタン３０４を操作して除湿運転を指示することにより、第２情報表示エリア１３５ｂが点灯し、運転状態が表示される。
【０１４６】
リモコン３００により空気調和機の運転モードとして除湿運転が指示されると、第２情報表示エリア１３５ｂは、４個の表示ランプ１８５、１８６、１８７、１８８により空気調和機における除湿運転の状態を表示するように構成されている。
【０１４７】
本実施の形態において第２情報表示エリア１３５ｂは、４個の表示ランプ１８５、１８６、１８７、１８８とから構成されているが、前記冷房運転あるいは暖房運転と同様に、除湿運転開始時においても、第２情報表示エリア１３５ｂの点灯を４個の表示ランプ１８５、１８６、１８７、１８８の全てが点灯されるわけではない。本実施の形態においては、表示ランプ１８５、１８６、１８７、１８８の点灯が、あらかじめ設定された湿度と運転を指示した状態における湿度との偏差ｄｈにより点灯個数が異なるように構成されている。例えば、本実施の形態においては、運転開始時における設定湿度と現在の湿度との偏差ｄｈが３０％より大きい（ｄｈ＞３０）場合、図２０（ａ）で示すように、表示ランプ１８５、１８６、１８７、１８８の全てが点灯し、偏差ｄｈが２０％より大きく３０％以下（２０＜ｄｈ≦３０）の場合、図２０（ｂ）で示すように、表示ランプ１８５、１８６、１８７、の３個が点灯し、偏差ｄｈが１０％より大きく２０％以下（１０＜ｄｈ≦２０）の場合、図２０（ｃ）で示すように、表示ランプ１８５、１８６の２個が点灯し、偏差ｄｈが１０％以下（ｄｈ≦１０）の場合、図２０（ｄ）で示すように、表示ランプ１８５が点灯するように構成されている。なお、本実施の形態において、表示ランプ１８５、１８６、１８７、１８８が実線で示されているのは点灯状態、破線で示されているのが消灯状態である。
【０１４８】
これらの表示ランプ１８５、１８６、１８７、１８８は、室内の状態の変化（湿度の変化）に伴ってその表示を変化させていくように構成されており、例えば、表示ランプ１８５、１８６、１８７、１８８の全てが点灯（ｄｈ＞３０）して運転している状態から、湿度の偏差ｄｈが２０％より大きく３０％以下（２０＜ｄｈ≦３０）の状態になると、第２情報表示エリア１３５ｂの表示は、表示ランプ１８５、１８６、１８７の３個の表示に変化するようになっている。
【０１４９】
本実施の形態においては、表示ランプ１８５〜１８８を運転開始時における設定湿度と現在の湿度との偏差ｄｈで制御しているが、圧縮機５００（図３参照）の回転数により、表示ランプ１８１〜１８４を制御してもよい。
【０１５０】
以上のような構成とすることにより、冷房運転あるいは暖房運転、除湿運転において空気調和システムの運転状況を段階的に変化させながら表示するので、使用者は、前記運転状態表示部１３５を確認することにより、前記運転状態表示部１３５を構成する表示ランプの点灯数が多ければ、設定温度または設置温度に対して現在の温度または湿度の差が大きいために空気調和システムが高出力運転を行っていることを知ることができ、逆に表示ランプの点灯数が少なければ前記差が少ないために空気調和システムが低出力運転を行っていることを示している。このように、この実施の形態では、前記運転状態表示部１３５の表示により、空気調和システムの運転状況を表示ランプの点灯数（点灯表示部分の大きさ）で認識させることができるとともに、間接的に、設定温度または湿度に対する現在の温度または湿度を確認することが可能となる。
【０１５１】
また、前記リモコン３００に設けたおしえてボタン３４０を併用することにより、より詳細な現在の室温や湿度を、例えば数値データとして確認することができるので、必要に応じて室温や湿度の調節を容易に行うことができる。
【０１５２】
次に図２１を用いて、空気調和機のタイマー運転時における、運転状態表示部１３５の表示について説明する。タイマー運転の予約は、前記リモコン３００の開閉蓋３０２の内側に設けられたタイマーボタン３６４を押すことにより行われる。前記タイマーボタン３６４によりタイマー予約が指示されると、図２１（ａ）で示すように、前記第１情報表示エリア１３５ａの一番右側に設けられた表示ランプ１８４と前記第２情報表示エリア１３５ｂの一番左側に設けられた表示ランプ１８５が所定時間点滅し、その後消灯する（図２１（ｂ）参照）。なお、本実施の形態において、表示ランプ１８１から１８８が実線で示されているのは点灯状態または点滅状態、破線で示されているのが消灯状態である。
【０１５３】
本実施の形態においては、例えば表示ランプ１８４、１８５が点滅する所定時間を１０秒に設定している。そしてタイマー運転が開始されると、図２１（ｃ）で示すように、前記表示ランプ１８４、１８５が所定時間（１０秒）点滅し、その後上述した表示ランプの点灯条件に従って、前記第１情報表示エリア１３５ａが点灯し運転状態の表示を行う。このとき、第２情報表示エリア１３５ｂの一番左側に設けられた表示ランプ１８５も点灯し、タイマー運転であることを表示する。
【０１５４】
以上のような構成により、タイマー予約時には表示ランプが所定時間点滅するので、使用者がタイマー予約を指示したことが確認でき、またタイマー運転開始時にも表示ランプ１８５が点灯するようにしたので、タイマー予約により運転していることを確認することができ、空気調和システムの消し忘れ等を軽減することができる。
【０１５５】
なお、本実施の形態においては、表示ランプが点滅する所定時間を１０秒に設定しているが、これに限定されるものではなく、任意の時間に設定してもよい。
【０１５６】
次に前記運転状態表示部１３５における、その他の表示機能について、図２２および図２３を用いて説明する。その他の表示機能としては、空気調和システムの自動運転における運転モード判定中の表示、エラーメッセージの表示などがある。
【０１５７】
図２２は、空気調和機の運転モード判定中における、運転状態表示部１３５の表示状態を示している。運転モード判定中の表示は、図２２（ａ）で示すように、第１情報表示エリア１３５ａの一番右側に設けられた表示ランプ１８４と前記第２情報表示エリア１３５ｂの一番左側に設けられた表示ランプ１８５が点滅し、判定終了後は上述した表示ランプの点灯条件に従って、運転状態表示部１３５を点灯させ、運転状態の表示を行う（図２２（ｂ）参照）。なお、本実施の形態において、表示ランプ１８１から１８８が実線で示されているのは点灯状態または点滅状態、破線で示されているのが消灯状態である。
【０１５８】
図２３は、空気調和機にエラーが生じた場合における、運転状態表示部１３５の表示状態を示している。エラーメッセージの表示は、室内におけるエラーの発生時には第２情報表示エリア１３５ｂの一番右側に設けられた表示ランプ１８８が点滅し（図２３（ａ）参照）、室外におけるエラーの発生時には第１情報表示エリア１３５ａの一番左側に設けられた表示ランプ１８１が点滅するようになっている（図２３（ｂ）参照）。なお、本実施の形態において、表示ランプ１８１から１８８が実線で示されているのは点滅状態、破線で示されているのが消灯状態である。エラーメッセージの表示は、エラーの種類により点滅場所や点滅時間
、点滅速度を変えて表示するように構成されているので、点滅状態を見ることにより発生しているエラー内容やエラー場所の確認を容易に行うことができる。
【０１５９】
次に図２４を用いて、本実施の形態における空気調和機の動作の流れについて説明する。図２４は、本実施の形態における空気調和機の動作の流れを示すフローチャートである。
【０１６０】
図２４において、室内の壁面等に設けられたコンセントに室内ユニット１００の電源コードを差し込み、図示しない主電源ボタンをＯＮとすることにより、室内ユニット１００と室外ユニット２００とからなる空気調和機が電源ＯＮの状態となっている。この状態において、使用者が前記リモコン３００により空気調和機の運転モードを選択することで、空気調和機が動作する。まずステップ１０００において、使用者が前記運転／停止ボタン３０３による運転モードを選択すると、前回、空気調和機を動作させた時の設定条件に基づいて自動運転を開始する（ステップ１０１０）。空気調和機の運転中に、室温や湿度の設定を行う必要がある場合（ステップ１０２０）、前記湿度設定ボタン３０７や前記室温設定ボタン３０８を操作する（ステップ１０３０）ことにより、室温や湿度の設定を行い、ステップ１０４０において、室温や湿度の設定が終了していれば設定に基づいた運転を行うと共に、前記設定情報表示エリア３２０ｂに室温、湿度の設定状態を表示し、空気調和機が設定状態に応じた運転を行う（ステップ１０５０）。
【０１６１】
ステップ１０００において、使用者が前記運転／停止ボタン３０３による運転モードを選択しなかった場合、除湿ボタン３０４や「涼・快」ボタン３０５、あるいは運転切換ボタン３５１により、除湿運転もしくは冷房運転、暖房運転を選択し、選択した運転モードに従って、空気調和機を運転させることになる。まず、ステップ１１００において、前記除湿ボタン３０４による除湿運転を選択した場合、除湿運転を行うためにあらかじめ設定された室温や湿度などの運転条件に基づいて空気調和機が除湿運転を開始し、同時に前記設定情報表示エリア３２０ｂに除湿運転であることを示す表示および設定温度、湿度が表示される（ステップ１１１０）。ステップ１１２０において、除湿運転運転では、室内が快適となるように運転を行うため、特に室温や湿度を調節する必要はない。しかしながら、快適であると感じる室温や湿度には使用者体質や体調による個人差があり、場合によっては室温や湿度を調節する必要がある。本発明は、前記開閉蓋３０２の表面に配置された湿度設定ボタン３０７および室温設定ボタン３０８によって、除湿運転時にも室温や湿度の調節を行うことができるようにしたことを特徴としている。
【０１６２】
室温や湿度を調節（設定）する場合、ステップ１１３０に進み、前記湿度設定ボタン３０７および室温設定ボタン３０８により、室温や湿度の調節（設定）を行い、室温、湿度の調節（設定）後はステップ１０４０に進む。ステップ１０４０において、室温や湿度の調節（設定）が終了していれば、ステップ１１１０に戻り調節（設定）した室温や湿度に基づいて除湿運転を行うと共に、設定情報表示エリア３２０ｂに表示される内容が、調節（設定）した室温や湿度などの表示に変化する。
【０１６３】
ステップ１１００において、使用者が除湿ボタン３０４による除湿運転を選択しなかった場合、「涼・快」ボタン３０５、あるいは運転切換ボタン３５１により、運転モードを選択し、選択した運転モードに従って、空気調和機を運転させることになる。
【０１６４】
ステップ１２００において、「涼・快」ボタン３０５による空気調和機の運転モードを選択すると、室温と外気温との温度差に合わせて湿度を制御しながら空気調和機の運転、例えば、除湿運転や冷房運転、暖房運転などを行うと共に、設定情報表示エリア３２０ｂに室温や湿度、運転モード等、空気調和機の運転状態が表示される（ステップ１２１０）。
【０１６５】
ステップ１２２０において、前記「涼・快」ボタン３０５による空気調和機の運転モードを選択したときは、室温と外気温との温度差を考慮しながら、室内空間が快適な状態となるように温度や湿度を自動的に調整しながら空気調和機の運転を行うので、特に使用者が湿度設定ボタン３０７や室温設定ボタン３０８により室温や湿度を調整（設定）する必要はない。しかしながら、使用者が感じる快適感は個人差があるため、使用者によっては、室温や湿度を調整する必要がある。このような場合は、ステップ１２３０に進み、前記湿度設定ボタン３０７および室温設定ボタン３０８により、室温や湿度の調節（設定）を行い、室温、湿度の調節（設定）後はステップ１２４０に進む。ステップ１２４０において、室温や湿度の調節（設定）が終了していれば、ステップ１２１０に戻り調節（設定）した室温や湿度に基づいて除湿運転を行うと共に、設定情報表示エリア３２０ｂに表示される内容が、調節（設定）した室温や湿度などの表示に変化する。
【０１６６】
ステップ１２００において、「涼・快」ボタン３０５による空気調和機の運転モードを選択しなかった場合、ステップ１３００に進み、前記開閉蓋３０２を開け、運転切換ボタン３５１を操作することにより、冷房運転あるいは暖房運転等の運転モードを選択する。
【０１６７】
ステップ１３１０において、運転切換ボタン３５１により冷房運転を選択した場合、冷房運転を行うためにあらかじめ設定された室温や湿度に従って、冷房運転を行うと共に、空気調和機の運転状態や設定された室温、湿度が設定情報表示エリア３２０ｂに表示される。運転切換ボタン３５１により冷房運転を選択しなかった場合、ステップ１４００に進み、再度運転切換ボタン３５１を操作して暖房運転を選択する。そして、暖房運転を行うためにあらかじめ設定された室温や湿度に従って、冷房運転を行うと共に、空気調和機の運転状態や設定された室温、湿度が設定情報表示エリア３２０ｂに表示される。
【０１６８】
冷房運転あるいは暖房運転において、室温や湿度を調節する必要がある場合（ステップ１３３０）、ステップ１３４０に進み、前記室温設定ボタン３０８により、室温の設定を行い、ステップ１３５０において、室温の設定が終了していれば、ステップ１３２０もしくは１４００に戻り、設定した室温や湿度に基づいて冷房運転もしくは暖房運転を行うと共に、設定情報表示エリア３２０ｂに運転モードおよび設定した室温や湿度などが表示される。
【０１６９】
以上のように、本発明によれば、操作ボタンで指示されることにより、あらかじめ設定された運転条件に従って運転する空気調和機の室温の調整を使用者の感覚によって行うことができるので、使用者にとってより快適な室内環境を作ることが可能となる。
【０１７０】
なお、前記主電源ボタン（図示省略）は通常、ＯＮ状態となっているが、季節に応じて主電源ボタンをＯＦＦにして、空気調和機の待機電力をカットすることができる。
【０１７１】
本実施の形態における冷房運転あるいは暖房運転においては、上述した除湿運転のように湿度の調節は行わない。しかしながら、必要に応じて湿度を調節できるようにしてもよい。冷房運転あるいは暖房運転において、湿度の調節を行えるようにした場合、ステップ１３３０、ステップ１３４０で室温および湿度を調節し、調節後は通常の冷房運転あるいは暖房運転を行うように構成される。
【０１７２】
次に、本実施の形態に係る室内ユニット１００の送受信部１１０について、図２５を用いて説明する。
【０１７３】
図２５は、前記室内ユニット１００の送受信部１１０の構成を示す図であり、図２５（ａ）は前記表示部１１０の外観図の概略、図２５（ｂ）は前記室内ユニット１００の部分的な内部概略図である。図２５で示すように、前記送受信部１１０は、２つの送信部１１１ａ、１１１ｂと１つの受信部１１２とから構成される。前記リモコン３００から送信された運転モード信号は、前記受信部１１２で受信され、受信された運転モード信号は前記室内ユニット制御装置６０１に伝達され、運転モード信号に従って前記室内ユニット１００および室外ユニット２００が動作し、前記室内温度センサ６０２および前記室内湿度センサ６０３が室内の温度および湿度の測定を開始する。
【０１７４】
ここで、前記リモコン３００に設けた前記おしえてボタン３４０を押下すると、信号が前記受信部１１２を介して前記室内ユニット制御装置６０１に伝達され、前記室内ユニット制御装置６０１は、伝達された信号に従って前記室内温度センサ６０２および前記室内湿度センサ６０３から現時点（前記おしえてボタン３４０が押下された時点）における室温および湿度の情報を受け取り、送信部１１１ａあるいは送信部１１１ｂから前記リモコン３００に送信され、前記入手情報表示エリア３２０ａに現時点（前記おしえてボタン３４０が押下された時点）における室温および湿度が表示される。そして、表示された室温や湿度を見て、必要に応じて前記湿度設定ボタン３０７あるいは前記室温設定ボタン３０８を操作して、室温および湿度を調節することができる。
【０１７５】
このような構成により、室温および湿度が使用者の手元で確認することができ、また必要に応じて室温あるいは湿度を調節することができるので、使用者の体質や体調に合わせた室温あるいは湿度が設定でき、より快適な室内空間を作ることができる。
【０１７６】
次に、図２６を参照して、室内ユニット１００に設けられる運転状態表示部１３５の他の実施の形態を説明する。図２６は室内ユニット１００の他の実施の形態を示す正面図であり、（ａ）図は室内ユニット１００の片側の側辺に沿って運転状態表示部１３５を集中して設けたものであり、（ｂ）図は室内ユニット１００の両側に運転状態表示部１３５を分散配置したものであり、（ｃ）図は室内ユニット１００の吹出部１３３の片側に運転状態表示部１３５を集中して設けたものである。この実施の形態では、前記送受信部１１０をこの室内ユニット１００の電装品が配置された側、即ち、前記吹出口１３３の片側に設けて配線を短縮することで、組立性を向上している。
【０１７７】
更にまた、この実施の形態では、運転状態表示部１３５を２つの情報表示エリアで構成し、この２つの情報表示エリアを、例えば、温度に対応した第１情報表示エリア１３５ａと湿度に対応した第２情報表示エリア１３５ｂとで構成している。
【０１７８】
（ａ）図に示す実施の形態は、運転状態表示部１３５を構成する第１情報表示エリア１３５ａと第２情報表示エリア１３５ｂとを前記室内ユニット１００の電装品が配置される片側に集中配置している。更に、この実施の形態では、前記電装品の長手方向に沿って一対の縦長で棒状の運転状態表示部１３５を配置している。これにより、室内ユニット１００のデッドスペースを有効利用して視認性が良好な大きな運転状態表示部１３５を配置することができる。しかも、一対の運転状態表示部１３５は２つの表示部が平行に配置されているので、温度と湿度を対比しながら、その状態を把握することができる。
【０１７９】
また、（ｂ）図の実施の形態は、前記室内ユニット１００の正面の両側の端部に沿って縦長で帯状の第１の情報表示エリア１３５ａ、第２の情報表示エリア１３５ｂを分散して配置したものである。この実施の形態によれば、室内ユニット１００のデッドスペースを有効利用して視認性が良好な大きな運転状態表示部１３５を配置することができる。しかも、２つの表示エリアが左右に別れているので、温度、湿度の状態を混同することなく把握することができる。
【０１８０】
また、（ｃ）図の実施の形態は、吹出口１３３の片側に運転状態表示部１３５を構成する第１情報表示エリア１３５ａと第２情報表示エリア１３５ｂとを前記送受信部１１０とともに集中配置したものである。これにより、運転状態表示部１３５と前記送受信部１１０を電送品に近接配置することができるので、組立性を向上することができる。
【０１８１】
次に、図２７を参照して、リモコンの他の実施の形態を説明する。図２７は他の実施の形態のリモコンの正面図である。この実施の形態のリモコンは、お年寄りや子供でも簡単に操作できるものであり、主体的な前記リモコン３００と対となる補助的なサブリモコン９５０である。
【０１８２】
このサブリモコン９５０もまた、室内ユニット１００や室外ユニット２００で入手した各種の情報を表示する表示部３２０を備えている。そして、このサブリモコン９５０の特徴は、前記表示部３２０を備えるとともに、主たる機能である３つの運転モードに運転開始機能を一体で、しかも各機能を独立させたボタン（冷房ボタン２３１と除湿ボタン２３２及び暖房ボタン２３３）として設けた点にある。本実施の形態におけるサブリモコン９５０の表示部３２０は、前記リモコン３００の表示部３２０と同様な構成のため、詳細な説明は省略する。
【０１８３】
本実施の形態におけるサブリモコン９５０は、薄形で扁平な縦長の筐体３０１を備え、その筐体３０１の広い面に、前記表示部３２０を設け、この下方に前記空気調和機における主たる機能を操作する操作スイッチを備えている。前記操作スイッチは、このボタンの押下で対応する運転モードをダイレクトで運転させる冷房ボタン２３１と除湿ボタン２３２及び暖房ボタン２３３と、前記３つの運転モードの運転を停止させる停止ボタン３０３と、前記湿度設定ボタン３０７と、前記室温設定ボタン３０８と、おやすみボタン３０９と、おしえてボタン３４０とから構成される。
この実施の形態によれば、空気調和機１における主たる機能である前記３つの運転モードに運転開始機能を一体で、しかも各機能を独立させたボタン（冷房ボタン２３１と除湿ボタン２３２及び暖房ボタン２３３）として設けたので、使いたい運転機能を１回の操作で直接選択して運転させることができる。また、前記停止ボタンを独立して設けたので誤操作を軽減できる。そして、この実施の形態によれば、前記操作機能を限定して設けたことにより、各操作ボタンを独立させて大きく、かつ広い面にゆとりを持って配置したので誤操作を軽減することができる。このように、この空気調和機１によれば、２つのリモコンを利用者の好みによって使い分けることができる。
【０１８４】
次に、図２８を参照して、グラデーショングリル１４０に関する他の実施の形態を説明する。
【０１８５】
前記した実施の形態では、最も吸い込み効率が大きい筐体１５０の前部に前面吸込グリル１３１を設け、この前面吸込グリル１３１の上部に吸い込み効率が低くなる（フアンとの距離が遠くなる）にしたがって開口面積が小さくなるグラデーショングリル１４０を設けて、インテリアに調和しつつ効率運転が可能な実施の形態を説明したが、これに限定されるものではない。例えば、前記前面吸込グリル１３１と前記グラデーショングリル１４０を連続した１つのグリルとして形成し、各グリルのピッチ、あるいは上下方向の各開口部の大きさを連続的に、あるいは段階的に小さくしてもよい。
【０１８６】
図２８は、前記前面吸込グリル１３１と前記グラデーショングリル１４０を連続した１つのグラデーショングリル１４０ａとして形成し、各グラデーショングリル１４０ａのピッチを段階的にあるいは連続的に変化させた状態を示しており、（ａ）図は前記グラデーショングリル１４０ａのピッチを３段階に変化させた状態を示す図、（ｂ）図は前記グラデーショングリル１４０ａのピッチを２段階に変化させた状態を示す図、（ｃ）図は前記グラデーショングリル１４０ａのピッチを連続的に変化させた状態を示す図である。
【０１８７】
（ａ）図に示すグラデーショングリル１４０ａは、グリルのピッチをＰ３に設定した第１グリル１４０１ａと、グリルのピッチをＰ４に設定した第２グリル１４０２ａと、グリルのピッチをＰ５に設定した第３グリル１４０３ａの３段で構成されている。ここで、第１グリル１４０１ａのピッチＰ３は、等間隔に形成されており、第２グリル１４０２ａ、第３グリル１４０３ａも同様に、それぞれのピッチＰ４、Ｐ５がそれぞれ等間隔に形成されている。
【０１８８】
（ｂ）図で示すグラデーショングリル１４０ａは、グリルのピッチをＰ６に設定した第１グリル１４０１ｂと、グリルのピッチをＰ７に設定した第２グリル１４０２ｂの２段で構成されている。第１グリル１４０１ｂのピッチＰ６および第２グリル１４０２ｂのピッチＰ７は、（ａ）図で説明したのと同様に、それぞれ等間隔で形成されている。
【０１８９】
（ｃ）図で示すグラデーショングリル１４０ａは、グリル１４０５のピッチを例えば、ＰａからＰｍまで連続的に変化させることにより構成されている。
【０１９０】
グラデーショングリル１４０ａを図２８で示すような構成にすることによっても、前記したグラデーショングリル１４０と同様の効果を得ることができる。また、本実施の形態においては、前面吸込グリル１３１とグラデーショングリル１４０を連続した一つのグリル（グラデーショングリル１４０ａ）を示したが、図２８で示す構成は、前記グラデーショングリル１４０単独の構造としてもよい。
【符号の説明】
【０１９１】
１００…室内ユニット、１０２…第１熱交換部、１０３…第２熱交換部、１０４…第３熱交換部、１０５…除湿用絞り装置、１０６…接続管、１０７…接続管、１０９…室内ファン、１１０…送受信部、１１１ａ…送信部、１１１ｂ…送信部、１１２…受信部、１３０…フィルタ、１３１…前面吸込グリル、１３２…上部吸込グリル、１３３…吹出口、１３４…横ルーバー、１３５…運転状態表示部、１３５ａ…第１情報表示エリア、１３５ｂ…第２情報表示エリア、１４０…グラデーショングリル、１４０ａ…グラデーショングリル、１５０…筐体、１７０…ドレン皿、１８０…ドレン皿、１８１…表示ランプ、１８２…表示ランプ、１８３…表示ランプ、１８４…表示ランプ、１８５…表示ランプ、１８６…表示ランプ、１８７…表示ランプ、１８８…表示ランプ、２００…室外ユニット、２１０…バックキャビネット、２２０…化粧パネル、２３０…フロントパネル、２３１…冷房ボタン、２３２…除湿ボタン、２３３…暖房ボタン、２５０…吹出通風路、２６０…空気清浄フィルタ、３００…リモコン、３０２…開閉蓋、３０３…運転／停止ボタン、３０４…除湿ボタン、３０５…「涼・快」ボタン、３０６…ＰＡＭ気流ボタン、３０７…湿度設定ボタン、３０８…室温設定ボタン、３０９…おやすみボタン、３１０…送受信装置、３２０…表示部、３２０ａ…入手情報表示エリア、３２０ｂ…設定情報表示エリア、３４０…おしえてボタン、３５１…運転切換ボタン、３５２…風速切換ボタン、３５３…風向切換ボタン、３５４…風向切換ボタン、３５５…パワフルボタン、３５６…予熱ボタン、３５７…加湿器ボタン、３５８…空清ボタン、３５９…フィルターボタン、３６０…取消ボタン、３６１…時刻設定ボタン、３６２…予約ボタン、３６３…リセットボタン、３６４…タイマーボタン、３６５…日付・時刻ボタン、３９０…分割溝、３９１…ヒンジ、４０１…上カバー、４０２…下カバー、４１０…開口部、４２０…開口部、４３０…電池収納部、４４０…爪取付部、４５１…位置決めリブ、４５２…位置決めリブ、４５３…位置決めリブ、４５４…位置決めリブ、４５５…位置決めリブ、５００…圧縮機、５１０…四方弁、５２０…室外熱交換器、５３０…電動膨張弁、５４０…冷媒流路、５５０…冷媒流路、５６０…二冷媒流路、５７０…二冷媒流路、５８０…室外ファン、５９０ａ…リブ、５９０ｂ…リブ、５９１…上流側の端部、５９２ａ…下流側の端部、５９２ｂ…下流側の端部、５９５…開口部、５９７ａ…グリル形成部、５９７ｂ…グリル形成部、６０１…室内ユニット制御装置、６０２…室内温度センサ、６０３…室内湿度センサ、６０４…第２受信部、６０５…第２送信部、６０６…室外ユニット制御装置、６０７…室外温度センサ、６０８…選択装置、６０９…中央処理装置、６１０…第１送信部、６１１…第１受信部、６２０…表示ランプ、７００…電池蓋、７１０…爪、７５０…液晶基板、７６０…印刷面、７７０…開口部、８１０…背面板、８２０…開口部、８３０…位置決めリブ、８４０…位置決めリブ、８５０…位置決めリブ、９００…第１基板、９１０…導電材料、 ９５０…サブリモコン、１４０１ａ…第１グリル、１４０１ｂ…第１グリル、１４０２ａ…第２グリル、１４��２ｂ…第２グリル、１４０３ａ…第３グリル、１４０５…グリル、Ｑ…連結点、Ｚ１…上流側、Ｚ２…下流側。
【図１】
2010048548.tif 000003
【図２】
2010048548.tif 000004
【図３】
2010048548.tif 000005
【図４】
2010048548.tif 000006
【図５】
2010048548.tif 000007
【図６】
2010048548.tif 000008
【図７】
2010048548.tif 000009
【図８】
2010048548.tif 000010
【図９】
2010048548.tif 000011
【図１０】
2010048548.tif 000012
【図１１】
2010048548.tif 000013
【図１２】
2010048548.tif 000014
【図１３】
2010048548.tif 000015
【図１４】
2010048548.tif 000016
【図１５】
2010048548.tif 000017
【図１６】
2010048548.tif 000018
【図１７】
2010048548.tif 000019
【図１８】
2010048548.tif 000020
【図１９】
2010048548.tif 000021
【図２０】
2010048548.tif 000022
【図２１】
2010048548.tif 000023
【図２２】
2010048548.tif 000024
【図２３】
2010048548.tif 000025
【図２４】
2010048548.tif 000026
【図２５】
2010048548.tif 000027
【図２６】
2010048548.tif 000028
【図２７】
2010048548.tif 000029
【図２８】
2010048548.tif 000030